【事件の表示】
　上記当事者間の特許第３８９４３２６号発明「合成樹脂発泡体の製造方法」の特許無効審判事件について、次のとおり審決する。
【結　論】
　訂正を認める。
　特許第３８９４３２６号の請求項１〜２４に係る発明についての特許を無効にする。
　審判費用は、被請求人の負担とする。
【理　由】
第１．手続の経緯
　特許第３８９４３２６号は、平成１４年１０月２１日（優先権主張　平成１３年１１月１３日　日本国）を国際出願日とする出願に係る特許であって、平成１８年１２月１２日に特許権の設定の登録（請求項の数３６）がなされたものである。
　その後、平成１９年１０月３日付けで、セントラル硝子株式会社から特許無効審判の請求（審判の請求に係る請求項１、２、１３、１４、２５、２６）がなされ、無効２００７−８００２１３として審理され、同年１２月２１日付けで訂正の請求がなされ（訂正後の請求項の数３４）、平成２０年６月２３日付けで、「訂正を認める。特許第３８９４３２６号の請求項１、２、２３、２４に係る発明についての特許を無効にする。」との審決がなされ、当該審決は確定している。
　そして、平成２０年８月２５日付けで、セントラル硝子株式会社から本件特許無効審判の請求（審判の請求に係る請求項３〜２２、２５〜３４）がなされ、その後、当審において以下の手続がなされたものである。
　
　答弁書（被請求人）　　　　　　　　　　平成２０年１１月２１日付け
　訂正請求書（被請求人）　　　　　　　　平成２０年１１月２１日付け
　弁駁書（請求人）　　　　　　　　　　　平成２０年１２月２６日付け
　口頭審理陳述要領書（請求人）　　　　　平成２１年　３月　２日付け
　口頭審理陳述要領書（被請求人）　　　　平成２１年　３月　２日付け
　上申書（被請求人）　　　　　　　　　　平成２１年　３月　２日付け
　第１回口頭審理　　　　　　　　　　　　平成２１年　３月　２日
　上申書（請求人）　　　　　　　　　　　平成２１年　３月　４日付け
　
　
第２．訂正の請求について
１．訂正の内容
　被請求人による訂正の請求は、平成１９年１２月２１日付け訂正請求書に添付した訂正明細書（以下、「特許明細書」という。）を、平成２０年１１月２１日付け訂正請求書に添付した訂正明細書（以下、単に「訂正明細書」という。）のとおり訂正することを求めるものであり、その訂正（以下、「本件訂正」という。）の内容は、以下の訂正事項１〜３３からなるものである。
　
　１−１．訂正事項１
　訂正前の請求項１、２、２３及び２４を削除する。
　
　１−２．訂正事項２
　訂正前の請求項３の
「【請求項３】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、沸点が15℃以上のハロゲン化エーテルを含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.5以上である発泡体の製造方法。」
を
「【請求項１】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、沸点が15℃以上のハロゲン化エーテルを含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。」
と訂正する。
　
　１−３．訂正事項３
　訂正前の請求項４の
「【請求項４】
得られたプレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項３に記載の発泡体の製造方法。」
を
「【請求項２】
得られたプレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項１に記載の発泡体の製造方法。」
と訂正する。
　
　１−４．訂正事項４
　訂正前の請求項５の
「【請求項５】
沸点が15℃以上のハロゲン化エーテルが、以下に示される化合物からなる群から選択される少なくとも１種の化合物である請求項３に記載の発泡体の製造方法：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項３】
沸点が15℃以上のハロゲン化エーテルが、1,1,2,2-テトラフルオロエチルメチルエーテルである請求項１に記載の発泡体の製造方法。」
と訂正する。
　
　１−５．訂正事項５
　訂正前の請求項６の
「【請求項６】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更にグリコール化合物を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.5以上である発泡体の製造方法。」
を
「【請求項４】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。」
と訂正する。
　
　１−６．訂正事項６
　訂正前の請求項７の
「【請求項７】
得られたプレミックスの40℃における蒸気圧が、グリコール化合物を除いた以外は前記プレミックスと同じ重量組成比のプレミックスの40℃における蒸気圧に対して、９５％以下である請求項６に記載の発泡体の製造方法。」
を
「【請求項５】
得られたプレミックスの40℃における蒸気圧が、グリコール化合物を除いた以外は前記プレミックスと同じ重量組成比のプレミックスの40℃における蒸気圧に対して、９５％以下である請求項４に記載の発泡体の製造方法。」
と訂正する。
　
　１−７．訂正事項７
　訂正前の請求項８を削除する。
　
　１−８．訂正事項８
　訂正前の請求項９の
「【請求項９】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、(i)沸点が15℃以上のハロゲン化エーテルと(ii)グリコール化合物を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.5以上である発泡体の製造方法。」
を
「【請求項６】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。」
と訂正する。
　
　１−９．訂正事項９
　訂正前の請求項１０の
「【請求項１０】
得られたプレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項９に記載の発泡体の製造方法。」
を
「【請求項７】
得られたプレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項６に記載の発泡体の製造方法。」
と訂正する。
　
　１−１０．訂正事項１０
　訂正前の請求項１１の
「【請求項１１】
沸点が15℃以上のハロゲン化エーテルが、以下に示される化合物からなる群から選択される少なくとも１種の化合物である請求項９に記載の発泡体の製造方法：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項８】
沸点が15℃以上のハロゲン化エーテルが、1,1,2,2-テトラフルオロエチルメチルエーテルである請求項６に記載の発泡体の製造方法。」
と訂正する。
　
　１−１１．訂正事項１１
　訂正前の請求項１２を削除する。
　
　１−１２．訂正事項１２
　訂正前の請求項１３の
「【請求項１３】
ポリウレタンまたはポリイソシアヌレート用発泡剤であって、
1,1,1,3,3-ペンタフルオロプロパンと1,1,1,3,3-ペンタフルオロブタン、更に、沸点が15℃以上のハロゲン化エーテルを含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.5以上となる発泡剤。」
を
「【請求項９】
ポリウレタンまたはポリイソシアヌレート用発泡剤であって、
1,1,1,3,3-ペンタフルオロプロパンと1,1,1,3,3-ペンタフルオロブタン、更に、沸点が15℃以上のハロゲン化エーテルを含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。」
と訂正する。
　
　１−１３．訂正事項１３
　訂正前の請求項１４の
「【請求項１４】
発泡剤とポリオールとを含むプレミックスとしたときに、
前記プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して９５％以下である請求項１３に記載の発泡剤。」
を
「【請求項１０】
発泡剤とポリオールとを含むプレミックスとしたときに、
前記プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して９５％以下である請求項９に記載の発泡剤。」
と訂正する。
　
　１−１４．訂正事項１４
　訂正前の請求項１５の
「【請求項１５】
沸点15℃以上のハロゲン化エーテルが、以下に示される化合物からなる群から選択される少なくとも１種の化合物である請求項１３に記載の発泡剤：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項１１】
沸点15℃以上のハロゲン化エーテルが、1,1,2,2-テトラフルオロエチルメチルエーテルである請求項９に記載の発泡剤。」
と訂正する。
　
　１−１５．訂正事項１５
　訂正前の請求項１６の
「【請求項１６】
ポリウレタンまたはポリイソシアヌレート用発泡剤であって、
1,1,1,3,3-ペンタフルオロプロパンと1,1,1,3,3-ペンタフルオロブタン、更に、グリコール化合物を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.5以上となる発泡剤。」
を
「【請求項１２】
ポリウレタンまたはポリイソシアヌレート用発泡剤であって、
1,1,1,3,3-ペンタフルオロプロパンと1,1,1,3,3-ペンタフルオロブタン、更に、以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。」
と訂正する。
　
　１−１６．訂正事項１６
　特許請求の範囲の請求項１７の
「【請求項１７】
ポリオールと発泡剤とを含むプレミックスとしたときに、
前記プレミックスの40℃における蒸気圧が、前記プレミックスからグリコール化合物を除いた以外は前記プレミックスと同じ重量組成比のプレミックスの40℃における蒸気圧に対して、９５％以下である請求項１６に記載の発泡剤。」
を
「【請求項１３】
ポリオールと発泡剤とを含むプレミックスとしたときに、
前記プレミックスの40℃における蒸気圧が、前記プレミックスからグリコール化合物を除いた以外は前記プレミックスと同じ重量組成比のプレミックスの40℃における蒸気圧に対して、９５％以下である請求項１２に記載の発泡剤。」
と訂正する。
　
　１−１７．訂正事項１７
　訂正前の請求項１８を削除する。
　
　１−１８．訂正事項１８
　訂正前の請求項１９の
「【請求項１９】
ポリウレタンまたはポリイソシアヌレート用発泡剤であって、
1,1,1,3,3-ペンタフルオロプロパンと1,1,1,3,3-ペンタフルオロブタン、更に、(i)沸点が15℃以上のハロゲン化エーテルと(ii)グリコール化合物を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.5以上となる発泡剤。」
を
「【請求項１４】
ポリウレタンまたはポリイソシアヌレート用発泡剤であって、
1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。」
と訂正する。
　
　１−１９．訂正事項１９
　訂正前の請求項２０の
「【請求項２０】
ポリオールと発泡剤とを含むプレミックスとしたときに、
前記プレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項１９に記載の発泡剤。」
を
「【請求項１５】
ポリオールと発泡剤とを含むプレミックスとしたときに、
前記プレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項１４に記載の発泡剤。」
と訂正する。
　
　１−２０．訂正事項２０
　訂正前の請求項２１の
「【請求項２１】
沸点が15℃以上のハロゲン化エーテルが、以下に示される化合物からなる群から選択される少なくとも１種の化合物である請求項１９に記載の発泡剤：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項１６】
沸点が15℃以上のハロゲン化エーテルが、1,1,2,2-テトラフルオロエチルメチルエーテルである請求項１４に記載の発泡剤。」
と訂正する。
　
　１−２１．訂正事項２１
　訂正前の請求項２２を削除する。
　
　１−２２．訂正事項２２
　訂正前の請求項２５の
「【請求項２５】
発泡剤とポリオールとを含むプレミックスであって、
発泡剤が、1,1,1,3,3-ペンタフルオロプロパンと1,1,1,3,3-ペンタフルオロブタン、更に、沸点が15℃以上のハロゲン化エーテルを含む混合物であり、プレミックスの気相組成における1,1,1,3,3-ペンタフルオロプロパン/1,1,1,3,3-ペンタフルオロブタンの重量比が、25℃で1.5以上であるプレミックス。」
を
「【請求項１７】
発泡剤とポリオールとを含むプレミックスであって、
発泡剤が、1,1,1,3,3-ペンタフルオロプロパンと1,1,1,3,3-ペンタフルオロブタン、更に、沸点が15℃以上のハロゲン化エーテルを含む混合物であり、プレミックスの気相組成における1,1,1,3,3-ペンタフルオロプロパン/1,1,1,3,3-ペンタフルオロブタンの重量比が、25℃で1.7〜4であるプレミックス。」
と訂正する。
　
　１−２３．訂正事項２３
　訂正前の請求項２６の
「【請求項２６】
プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項２５に記載のプレミックス。」
を
「【請求項１８】
プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項１７に記載のプレミックス。」
と訂正する。
　
　１−２４．訂正事項２４
　訂正前の請求項２７の
「【請求項２７】
前記の沸点15℃以上のハロゲン化エーテルが、以下に示される化合物からなる群から選択される少なくとも１種の化合物である請求項２５に記載のプレミックス：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項１９】
前記の沸点15℃以上のハロゲン化エーテルが、1,1,2,2-テトラフルオロエチルメチルエーテルである請求項１７に記載のプレミックス。」
と訂正する。
　
　１−２５．訂正事項２５
　訂正前の請求項２８の
「【請求項２８】
発泡剤とポリオールとを含むプレミックスであって、
発泡剤が、1,1,1,3,3-ペンタフルオロプロパンと1,1,1,3,3-ペンタフルオロブタン、更に、グリコール化合物を含む混合物であり、プレミックスの気相組成における1,1,1,3,3-ペンタフルオロプロパン/1,1,1,3,3-ペンタフルオロブタンの重量比が、25℃で1.5以上であるプレミックス。」
を
「【請求項２０】
発泡剤とポリオールとを含むプレミックスであって、
発泡剤が、1,1,1,3,3-ペンタフルオロプロパンと1,1,1,3,3-ペンタフルオロブタン、更に、以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物であり、プレミックスの気相組成における1,1,1,3,3-ペンタフルオロプロパン/1,1,1,3,3-ペンタフルオロブタンの重量比が、25℃で1.7〜4であるプレミックス。」
と訂正する。
　
　１−２６．訂正事項２６
　訂正前の請求項２９の
「【請求項２９】
プレミックスの40℃における蒸気圧が、前記プレミックスからグリコール化合物を除いた以外は前記プレミックスと同じ重量組成比のプレミックスの40℃における蒸気圧に対して、９５％以下である請求項２８に記載のプレミックス。」
を
「【請求項２１】
プレミックスの40℃における蒸気圧が、前記プレミックスからグリコール化合物を除いた以外は前記プレミックスと同じ重量組成比のプレミックスの40℃における蒸気圧に対して、９５％以下である請求項２０に記載のプレミックス。」
と訂正する。
　
　１−２７．訂正事項２７
　訂正前の請求項３０を削除する。
　
　１−２８．訂正事項２８
　訂正前の請求項３１の
「【請求項３１】
発泡剤とポリオールとを含むプレミックスであって、
発泡剤が、1,1,1,3,3-ペンタフルオロプロパンと1,1,1,3,3-ペンタフルオロブタン、更に、(i)沸点が15℃以上のハロゲン化エーテルと(ii)グリコール化合物を含む混合物であり、プレミックスの気相組成における1,1,1,3,3-ペンタフルオロプロパン/1,1,1,3,3-ペンタフルオロブタンの重量比が、25℃で1.5以上であるプレミックス。」
を
「【請求項２２】
発泡剤とポリオールとを含むプレミックスであって、
発泡剤が、1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物であり、プレミックスの気相組成における1,1,1,3,3-ペンタフルオロプロパン/1,1,1,3,3-ペンタフルオロブタンの重量比が、25℃で1.7〜4であるプレミックス。」
　
　１−２９．訂正事項２９
　訂正前の請求項３２の
「【請求項３２】
プレミックスの40℃における蒸気圧が、前記プレミックスから(i)沸点が15℃以上のハロゲン化エーテルと(ii)グリコール化合物を除いた以外は前記プレミックスと同じ重量組成比のプレミックスの40℃における蒸気圧に対して、９５％以下である請求項３１に記載のプレミックス。」
を
「【請求項２３】
プレミックスの40℃における蒸気圧が、前記プレミックスから(i)沸点が15℃以上のハロゲン化エーテルと(ii)グリコール化合物を除いた以外は前記プレミックスと同じ重量組成比のプレミックスの40℃における蒸気圧に対して、９５％以下である請求項２２に記載のプレミックス。」
と訂正する。
　
　１−３０．訂正事項３０
　訂正前の請求項３３の
「【請求項３３】
前記の沸点15℃以上のハロゲン化エーテルが、以下に示される化合物からなる群から選択される少なくとも１種の化合物である請求項３１に記載のプレミックス：
1,1,2,2-テトラフルオロエチルジフルオロメチルエーテル、1,1,2,2-テトラフルオロエチルメチルエーテル、2,2,2-トリフルオロエチル-1,1,2,2-テトラフルオロエチルエーテル、1,1,2,3,3,3-ヘキサフルオロプロピルメチルエーテル、2,2,3,3-テトラフルオロプロピル-1,1,2,2-テトラフルオロエチルエーテル、1,1,2,2-テトラフルオロエチル-2,2,3,3,3-ペンタフルオロプロピルエーテル、1,1,2,3,3,3-ヘキサフルオロプロピル2,2,3,3,3-ペンタフルオロプロピルエーテル、ノナフルオロブチルメチルエーテル、ノナフルオロブチルエチルエーテル、1-トリフルオロメチル-1,2,2,2-テトラフルオロエチルメチルエーテル、パーフルオロプロピルメチルエーテル、2,2,3,3,3-ペンタフルオロプロピルジフルオロメチルエーテル、1,1,2,3,3,3-ヘキサフルオロプロピル-2,2,2-トリフルオロエチルエーテル、2,2,3,4,4,4-ヘキサフルオロブチルジフルオロメチルエーテル、1,1,2,3,3,3-ヘキサフルオロプロピル-1,1,2,2-テトラフルオロプロピルエーテル、1,1,2,3,3-ペンタフルオロ-2-トリフルオロメチルメチルエーテル、パーフルオロプロピルエポキシド、1,2,2-トリフルオロエチレントリフルオロメチルエーテルおよび1,2,2-トリフルオロエチレン-1,1,2,2,3,3,3-ヘプタフルオロプロピルエーテル。」
を
「【請求項２４】
前記の沸点15℃以上のハロゲン化エーテルが、1,1,2,2-テトラフルオロエチルメチルエーテルである請求項２２に記載のプレミックス。」
と訂正する。
　
　１−３１．訂正事項３１
　訂正前の請求項３４を削除する。
　
　１−３２．訂正事項３２
　訂正前の段落【００５７】の
「ハロゲン含有化合物を含む発泡剤とポリオールとの混合物(プレミックス)の蒸気圧は、特に制限されないが、通常17〜32℃程度、好ましくは18〜28程度、より好ましくは20〜28℃程度である。」
を
「ハロゲン含有化合物を含む発泡剤とポリオールとの混合物(プレミックス)の沸点は、特に制限されないが、通常17〜32℃程度、好ましくは18〜28℃程度、より好ましくは20〜28℃程度である。」
と訂正する。
　
　１−３３．訂正事項３３
　訂正前の段落【００６１】の
「【００６１】
エチレングリコール化合物としては、以下の式(Ａ)〜式(Ｃ)で示される化合物などを例示することができる。
式(Ａ) CaH2a+1(OCH2CH2O)bCcH2c+1　
[式中、a, bおよびcは、独立にa=0, 1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]。」
を
「【００６１】
エチレングリコール化合物としては、以下の式(Ａ)〜式(Ｃ)で示される化合物などを例示することができる。
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]。」
と訂正する。
　
２．訂正の適否
　２−１．訂正事項１について
　訂正事項１は、無効２００７−８００２１３の審決によって、無効にされた特許に係る請求項である請求項１、２、２３及び２４を削除するものであるから、明りょうでない記載の釈明を目的とするものに該当する。
　また、訂正事項１が特許明細書に記載した事項の範囲内においてするものであり、実質上特許請求の範囲を拡張し、又は変更するものでないことは明らかである。
　
　２−２．訂正事項２について
　訂正事項２は、特許無効審判の請求がされた請求項３に係る訂正事項であって、
（２−１）請求項３のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定し、
（２−２）訂正事項１による請求項１及び２の削除に伴い、請求項３の項番号を繰り上げて請求項１とするものであるから、特許請求の範囲の減縮及び明りょうでない記載の釈明を目的とするものに該当する。
　また、訂正事項２が特許明細書に記載した事項の範囲内においてするものであり、実質上特許請求の範囲を拡張し、又は変更するものでないことは明らかである。
　
　２−３．訂正事項３について 
　訂正事項３は、特許無効審判の請求がされた請求項４に係る訂正事項であって、訂正事項１及び２による請求項番号の整序に伴い、請求項４の項番号を繰り上げて請求項２とし、請求項４で引用する請求項３の項番号を繰り上げて請求項１とするものであるから、明りょうでない記載の釈明を目的とするものに該当する。
　また、訂正事項３が特許明細書に記載した事項の範囲内においてするものであり、実質上特許請求の範囲を拡張し、又は変更するものでないことは明らかである。
　
　２−４．訂正事項４について
　訂正事項４は、特許無効審判の請求がされた請求項５に係る訂正事項であって、
（４−１）請求項５の沸点が１５℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（４−２）訂正事項１及び２による請求項番号の整序に伴い、請求項５の項番号を繰り上げて請求項３とし、請求項５で引用する請求項３の項番号を繰り上げて請求項１とするものであるから、特許請求の範囲の減縮及び明りょうでない記載の釈明を目的とするものに該当する。
　また、訂正事項４が特許明細書に記載した事項の範囲内においてするものであり、実質上特許請求の範囲を拡張し、又は変更するものでないことは明らかである。
　
　２−５．訂正事項５について
　訂正事項５は、特許無効審判の請求がされた請求項６に係る訂正事項であって、以下の訂正事項（５−１）〜（５−３）からなるものである。
（５−１）請求項６の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（５−２）請求項６のプレミックスの気相組成における1,1,1,3,3-ペンタフルオロプロパン/1,1,1,3,3-ペンタフルオロブタンの重量比を、「25℃において1.5以上」から「25℃において1.7〜4」とする訂正事項。
（５−３）請求項６を請求項４とする訂正事項。
　
　　２−５−１．訂正事項（５−１）について
　訂正事項（５−１）は、より詳細にいえば、以下の訂正事項（５−１−１）及び（５−１−２）からなるものである。
（５−１−１）請求項６の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（５−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−５−１−１．訂正事項（５−１−１）について
　訂正事項（５−１−１）は、請求項６の「グリコール化合物」を、特許明細書の請求項８の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（５−１−１）が特許明細書に記載した事項の範囲内においてするものであることは明らかである。
　
　　　２−５−１−２．訂正事項（５−１−２）について
　特許明細書には、式（Ａ）〜（Ｃ）で表されるグリコール化合物に関して、以下の事項が記載されている。
「【００６１】
エチレングリコール化合物としては、以下の式(Ａ)〜式(Ｃ)で示される化合物などを例示することができる。
式(Ａ) CaH2a+1(OCH2CH2O)bCcH2c+1　
[式中、a, bおよびcは、独立にa=0, 1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
【００６２】
式(Ａ)で示されるエチレングリコール化合物の具体例として、例えば、エチレングリコール、エチレングリコールメチルエーテル、エチレングリコールジメチルエーテル、エチレングリコールエチルエーテル、エチレングリコールジエチルエーテル、エチレングリコールプロピルエーテル、エチレングリコールジプロピルエーテル、エチレングリコールブチルエーテル、エチレングリコールジブチルエーテル、ジエチレングリコールメチルエーテル、ジエチレングリコールジメチルエーテル、ジエチレングリコールエチルエーテル、ジエチレングリコールジエチルエーテル、ジエチレングリコールプロピルエーテル、ジエチレングリコールジプロピルエーテル、ジエチレングリコールブチルエーテル、ジエチレングリコールジブチルエーテル、トリエチレングリコールメチルエーテル、トリエチレングリコールジメチルエーテル、トリエチレングリコールエチルエーテル、トリエチレングリコールジエチルエーテル、トリエチレングリコールプロピルエーテル、トリエチレングリコールジプロピルエーテル、トリエチレングリコールブチルエーテル、トリエチレングリコールジブチルエーテル、テトラエチレングリコールなどを例示できる。
【００６３】
式(Ｂ)で示されるエチレングリコール化合物の具体例として、例えば、エチレングリコールモノフォルメート、エチレングリコールジフォルメート、ジエチレングリコールモノフォルメート、ジエチレングリコールジフォルメート、トリエチレングリコールモノフォルメート、トリエチレングリコールジフォルメート、エチレングリコールモノアセテート、エチレングリコールジアセテート、ジエチレングリコールモノアセテート、ジエチレングリコールジアセテート、トリエチレングリコールモノアセテート、トリエチレングリコールジアセテート、エチレングリコールモノプロピオネート、エチレングリコールジプロピオネート、ジエチレングリコールモノプロピオネート、ジエチレングリコールジプロピオネート、トリエチレングリコールモノプロピオネート、トリエチレングリコールジプロピオネートなどを例示できる。
【００６４】
式(Ｃ)で示されるエチレングリコール化合物の具体例として、例えば、エチレングリコールメチルエーテルフォルメート、エチレングリコールエチルエーテルフォルメート、エチレングリコールプロピルエーテルフォルメート、エチレングリコールメチルエーテルアセテート、エチレングリコールエチルエーテルアセテート、エチレングリコールプロピルエーテルアセテート、エチレングリコールメチルエーテルプロピオネート、エチレングリコールエチルエーテルプロピオネート、エチレングリコールプロピルエーテルプロピオネート、ジエチレングリコールメチルエーテルアセテート、ジエチレングリコールメチルエーテルフォルメート、ジエチレングリコールエチルエーテルフォルメート、ジエチレングリコールプロピルエーテルフォルメート、ジエチレングリコールエチルエーテルアセテート、ジエチレングリコールプロピルエーテルアセテート、ジエチレングリコールメチルエーテルプロピオネート、ジエチレングリコールエチルエーテルプロピオネート、ジエチレングリコールプロピルエーテルプロピオネート、トリエチレングリコールメチルエーテルフォルメート、トリエチレングリコールエチルエーテルフォルメート、トリエチレングリコールプロピルエーテルフォルメート、トリエチレングリコールメチルエーテルアセテート、トリエチレングリコールエチルエーテルアセテート、トリエチレングリコールプロピルエーテルアセテート、トリエチレングリコールメチルエーテルプロピオネート、トリエチレングリコールエチルエーテルプロピオネート、トリエチレングリコールプロピルエーテルプロピオネートなどを例示できる。」
（段落【００６１】〜【００６４】）
　
　　　　２−５−１−２−１．式（Ａ）について
　特許明細書の段落【００６２】には、式（Ａ）で表されるグリコール化合物の具体例として、「エチレングリコール、エチレングリコールメチルエーテル、エチレングリコールジメチルエーテル、エチレングリコールエチルエーテル、エチレングリコールジエチルエーテル、エチレングリコールプロピルエーテル、エチレングリコールジプロピルエーテル、エチレングリコールブチルエーテル、エチレングリコールジブチルエーテル」なるエチレングリコール及びそのアルキルエーテル誘導体、「ジエチレングリコールメチルエーテル、ジエチレングリコールジメチルエーテル、ジエチレングリコールエチルエーテル、ジエチレングリコールジエチルエーテル、ジエチレングリコールプロピルエーテル、ジエチレングリコールジプロピルエーテル、ジエチレングリコールブチルエーテル、ジエチレングリコールジブチルエーテル」
なるジエチレングリコールのアルキルエーテル誘導体、「トリエチレングリコールメチルエーテル、トリエチレングリコールジメチルエーテル、トリエチレングリコールエチルエーテル、トリエチレングリコールジエチルエーテル、トリエチレングリコールプロピルエーテル、トリエチレングリコールジプロピルエーテル、トリエチレングリコールブチルエーテル、トリエチレングリコールジブチルエーテル」なるトリエチレングリコールのアルキルエーテル誘導体、「テトラエチレングリコール」が例示されている。
　
　一方、訂正前の請求項６に記載された式（Ａ）は、
「式(Ａ) CaH2a+1(OCH2CH2O)bCcH2c+1　
[式中、a, bおよびcは、独立にa=0, 1, 2, 3, 4、b=1, 2, 3, 4、c=0, 1, 2, 3, 4]」
で表されるものであり、ｂ＝１、２、３、４の場合に、それぞれ、以下の化学式（以下、それぞれ、「式（Ａ−１）」〜「式（Ａ−４）」という。）を表すものである。
式（Ａ−１）　CaH2a+1OCH2CH2OCcH2c+1　
式（Ａ−２）　CaH2a+1OCH2CH2OOCH2CH2OCcH2c+1　
式（Ａ−３）　CaH2a+1OCH2CH2OOCH2CH2OOCH2CH2OCcH2c+1　
式（Ａ−４）　CaH2a+1OCH2CH2OOCH2CH2OOCH2CH2OOCH2CH2OCcH2c+1　
　式（Ａ−１）は、特許明細書に例示されたエチレングリコール及びそのアルキルエーテル誘導体を表すものとして適切であるが、式（Ａ−２）〜式（Ａ−４）は、いずれも、その化学式中にパーオキサイド結合を有するものであり、特許明細書に例示されたジエチレングリコールのアルキルエーテル誘導体、トリエチレングリコールのアルキルエーテル誘導体及びテトラエチレングリコールを表すものとして適切でないから、訂正前の式（Ａ）の記載は、何らかの誤記を含むものと認められる。
　
　そして、式（Ａ）中の「(OCH2CH2O)b」なる化学式は、特許明細書に例示されたエチレングリコール及びそのアルキルエーテル、ジエチレングリコールのアルキルエーテル誘導体、トリエチレングリコールのアルキルエーテル誘導体及びテトラエチレングリコールにおける、エチレングリコール部分、ジエチレングリコール部分、トリエチレングリコール部分及びテトラエチレングリコール部分の化学構造をそれぞれ表すことを意図しているものと認められるところ、これらの化学構造は、通常「O(CH2CH2O)b」なる化学式により表されるものである。
　
　してみると、訂正前の式（Ａ）の
「式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]」
が、訂正後の式（Ａ）の
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
の誤記であることは明らかである。
　
　　　　２−５−１−２−２．式（Ｂ）について
　特許明細書の段落【００６３】には、式（Ｂ）で表されるグリコール化合物の具体例として、「エチレングリコールジフォルメート」、「エチレングリコールジアセテート」、「エチレングリコールジプロピオネート」なるエチレングリコールのジエステル誘導体、「ジエチレングリコールジフォルメート」、「ジエチレングリコールジアセテート」、「ジエチレングリコールジプロピオネート」なるジエチレングリコールのジエステル誘導体、及び
「トリエチレングリコールジフォルメート」、「トリエチレングリコールジアセテート」、「トリエチレングリコールジプロピオネート」なるトリエチレングリコールのジエステル誘導体が例示されている。
　
　なお、同段落に式（Ｂ）で表されるグリコール化合物の具体例として例示された「エチレングリコールモノフォルメート」、「ジエチレングリコールモノフォルメート」、「トリエチレングリコールモノフォルメート」、「エチレングリコールモノアセテート」、「ジエチレングリコールモノアセテート」、「トリエチレングリコールモノアセテート」、「エチレングリコールモノプロピオネート」、「ジエチレングリコールモノプロピオネート」、「トリエチレングリコールモノプロピオネート」は、エチレングリコールのモノエステル誘導体、ジエチレングリコールのモノエステル誘導体又はトリエチレングリコールのモノエステル誘導体であるから、本来、モノエステル誘導体の化学式である式（Ｃ）で表されるグリコール化合物の具体例として例示すべきものを誤って、式（Ｂ）で表されるグリコール化合物の具体例として例示したものと認められる。
　
　そして、上記「２−５−１−２−１．式（Ａ）について」で述べた理由と同様の理由により、訂正前の式（Ｂ）の
「式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]」
は、訂正後の式（Ｂ）の
「式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、」
の誤記であることは明らかである。
　
　　　　２−５−１−２−３．式（Ｃ）について
　特許明細書の段落【００６４】には、式（Ｃ）で表されるエチレングリコール化合物の具体例として、「エチレングリコールメチルエーテルフォルメート、エチレングリコールエチルエーテルフォルメート、エチレングリコールプロピルエーテルフォルメート、エチレングリコールメチルエーテルアセテート、エチレングリコールエチルエーテルアセテート、エチレングリコールプロピルエーテルアセテート、エチレングリコールメチルエーテルプロピオネート、エチレングリコールエチルエーテルプロピオネート、エチレングリコールプロピルエーテルプロピオネート」なるエチレングリコールのモノエステル誘導体、「ジエチレングリコールメチルエーテルアセテート、ジエチレングリコールメチルエーテルフォルメート、ジエチレングリコールエチルエーテルフォルメート、ジエチレングリコールプロピルエーテルフォルメート、ジエチレングリコールエチルエーテルアセテート、ジエチレングリコールプロピルエーテルアセテート、ジエチレングリコールメチルエーテルプロピオネート、ジエチレングリコールエチルエーテルプロピオネート、ジエチレングリコールプロピルエーテルプロピオネート」なるジエチレングリコールのモノエステル誘導体、「トリエチレングリコールメチルエーテルフォルメート、トリエチレングリコールエチルエーテルフォルメート、トリエチレングリコールプロピルエーテルフォルメート、トリエチレングリコールメチルエーテルアセテート、トリエチレングリコールエチルエーテルアセテート、トリエチレングリコールプロピルエーテルアセテート、トリエチレングリコールメチルエーテルプロピオネート、トリエチレングリコールエチルエーテルプロピオネート、トリエチレングリコールプロピルエーテルプロピオネート」なるトリエチレングリコールのモノエステル誘導体が例示されている。
　
　そして、上記「２−５−１−２−１．式（Ａ）について」で述べた理由と同様の理由により、訂正前の式（Ｃ）の
「式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
が、訂正後の式（Ｃ）の
「式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
の誤記であることは明らかである。
　
　　　　２−５−１−２−４．訂正事項（５−１−２）についてのまとめ
　してみると、訂正事項（５−１−２）は、誤記の訂正を目的とするものに該当する。
　また、訂正事項（５−１−２）は、誤記を本来意図していたことが明らかな記載に正すものであるから、特許明細書に記載した事項の範囲内においてするものである。
　
　　　２−５−１−３．訂正事項（５−１）についてのまとめ
　したがって、訂正事項（５−１−１）及び（５−１−２）からなる訂正事項（５−１）は、特許請求の範囲の減縮及び誤記の訂正を目的とするものに該当し、また、特許明細書に記載した事項の範囲内においてするものである。
　
　　２−５−２．訂正事項（５−２）について
　訂正事項（５−２）は、請求項６のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（５−２）が特許明細書に記載した事項の範囲内においてするものであることは明らかである。
　
　　２−５−３．訂正事項（５−３）について
　訂正事項（５−３）は、訂正事項１による請求項１及び２の削除に伴い、請求項６の項番号を繰り上げて請求項４とするものであるから、明りょうでない記載の釈明を目的とするものに該当する。
　また、訂正事項（５−３）が特許明細書に記載した事項の範囲内においてするものであることは明らかである。
　
　　２−５−４．訂正事項５についてのまとめ
　したがって、訂正事項（５−１）〜（５−３）からなる訂正事項５は、特許請求の範囲の減縮、誤記の訂正及び明りょうでない記載の釈明を目的とするものに該当する。
　また、訂正事項５は、特許明細書に記載した事項の範囲内においてするものであり、実質上特許請求の範囲を拡張し、又は変更するものでない。
　
　２−６．訂正事項６について
　訂正事項６は、特許無効審判の請求がされた請求項７に係る訂正事項であって、訂正事項１及び５による請求項番号の整序に伴い、請求項７の項番号を繰り上げて請求項５とし、請求項７で引用する請求項６の項番号を繰り上げて請求項４とするものであるから、明りょうでない記載の釈明を目的とするものに該当する。
　また、訂正事項６が特許明細書に記載した事項の範囲内においてするものであり、実質上特許請求の範囲を拡張し、又は変更するものでないことは明らかである。
　
　２−７．訂正事項７について
　訂正事項７は、特許無効審判の請求がされた請求項８に係る訂正事項であって、請求項８を削除するものであるから、特許請求の範囲の減縮を目的とするものに該当する。
　また、訂正事項７が特許明細書に記載した事項の範囲内においてするものであり、実質上特許請求の範囲を拡張し、又は変更するものでないことは明らかである。
　
　２−８．訂正事項８について
　訂正事項８は、特許無効審判の請求がされた請求項９に係る訂正事項であって、以下の訂正事項（８−１）〜（８−３）からなるものである。
（８−１）請求項９の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（８−２）請求項９のプレミックスの気相組成における1,1,1,3,3-ペンタフルオロプロパン/1,1,1,3,3-ペンタフルオロブタンの重量比を、「25℃において1.5以上」から「25℃において1.7〜4」とする訂正事項。
（８−３）請求項９を請求項６とする訂正事項。
　
　　２−８−１．訂正事項（８−１）について
　訂正事項（８−１）は、より詳細にいえば、以下の訂正事項（８−１−１）及び（８−１−２）からなるものである。
（８−１−１）請求項９の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（８−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−８−１−１．訂正事項（８−１−１）について
　訂正事項（８−１−１）は、請求項９の「グリコール化合物」を、特許明細書の請求項１２の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（８−１−１）が特許明細書に記載した事項の範囲内においてするものであることは明らかである。
　
　　　２−８−１−２．訂正事項（８−１−２）について
　上記「２−５−１−２．訂正事項（５−１−２）について」で述べた理由と同様の理由により、訂正事項（８−１−２）は、誤記の訂正を目的とするものに該当し、また、特許明細書に記載した事項の範囲内においてするものである。
　
　　　２−８−１−３．訂正事項（８−１）についてのまとめ
　したがって、訂正事項（８−１−１）及び（８−１−２）からなる訂正事項（８−１）は、特許請求の範囲の減縮及び誤記の訂正を目的とするものに該当し、また、特許明細書に記載した事項の範囲内においてするものである。
　
　　２−８−２．訂正事項（８−２）について
　訂正事項（８−２）は、請求項９のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（８−２）が特許明細書に記載した事項の範囲内においてするものであることは明らかである。
　
　　２−８−３．訂正事項（８−３）について
　訂正事項（８−３）は、訂正事項１及び７による請求項番号の整序に伴い、請求項９の項番号を繰り上げて請求項６とするものであるから、明りょうでない記載の釈明を目的とするものに該当する。
　また、訂正事項（８−３）が特許明細書に記載した事項の範囲内においてするものであることは明らかである。
　
　　２−８−４．訂正事項８についてのまとめ
　したがって、訂正事項（８−１）〜（８−３）からなる訂正事項８は、特許請求の範囲の減縮、誤記の訂正及び明りょうでない記載の釈明を目的とするものに該当する。
　また、訂正事項８は、特許明細書に記載した事項の範囲内においてするものであり、実質上特許請求の範囲を拡張し、又は変更するものでない。
　
　２−９．訂正事項９について
　訂正事項９は、特許無効審判の請求がされた請求項１０に係る訂正事項であって、訂正事項１、７及び８による請求項番号の整序に伴い、請求項１０の項番号を繰り上げて請求項７とし、請求項１０で引用する請求項９の項番号を繰り上げて請求項６とするものであるから、明りょうでない記載の釈明を目的とするものに該当する。
　また、訂正事項９が特許明細書に記載した事項の範囲内においてするものであり、実質上特許請求の範囲を拡張し、又は変更するものでないことは明らかである。
　
　２−１０．訂正事項１０について
　訂正事項１０は、特許無効審判の請求がされた請求項１１に係る訂正事項であって、
（１０−１）請求項１１の沸点が15℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（１０−２）訂正事項１、７及び８による請求項番号の整序に伴い、請求項１１の項番号を繰り上げて請求項８とし、請求項１１で引用する請求項９の項番号を繰り上げて請求項６とする
ものであるから、特許請求の範囲の減縮及び明りょうでない記載の釈明を目的とするものに該当する。
　また、訂正事項１０が特許明細書に記載した事項の範囲内においてするものであり、実質上特許請求の範囲を拡張し、又は変更するものでないことは明らかである。
　
　２−１１．訂正事項１１について
　訂正事項１１は、特許無効審判の請求がされた請求項１２に係る訂正事項であって、請求項１２を削除するものであるから、特許請求の範囲の減縮を目的とするものに該当する。
　また、訂正事項１１が特許明細書に記載した事項の範囲内においてするものであり、実質上特許請求の範囲を拡張し、又は変更するものでないことは明らかである。
　
　２−１２．訂正事項１２について
　訂正事項１２は、特許無効審判の請求がされた請求項１３に係る訂正事項であって、
（１２−１）請求項１３のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定し、
（１２−２）訂正事項１、７及び１１による請求項番号の整序に伴い、請求項１３の項番号を繰り上げて請求項９とする
ものであるから、特許請求の範囲の減縮及び明りょうでない記載の釈明を目的とするものに該当する。
　また、訂正事項１２が特許明細書に記載した事項の範囲内においてするものであり、実質上特許請求の範囲を拡張し、又は変更するものでないことは明らかである。
　
　２−１３．訂正事項１３について 
　訂正事項１３は、特許無効審判の請求がされた請求項１４に係る訂正事項であって、訂正事項１、７、１１及び１２による請求項番号の整序に伴い、請求項１４の項番号を繰り上げて請求項１０とするとともに、請求項１４で引用する請求項１３の項番号を繰り上げて請求項９とするものであるから、明りょうでない記載の釈明を目的とするものに該当する。
　また、訂正事項１３が特許明細書に記載した事項の範囲内においてするものであり、実質上特許請求の範囲を拡張し、又は変更するものでないことは明らかである。
　
　２−１４．訂正事項１４について
　訂正事項１４は、特許無効審判の請求がされた請求項１５に係る訂正事項であって、
（１４−１）請求項１５の沸点が１５℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（１４−２）訂正事項１、７、１１及び１２による請求項番号の整序に伴い、請求項１５の項番号を繰り上げて請求項１１とするとともに、請求項１５で引用する請求項１３の項番号を繰り上げて請求項９とする
ものであるから、特許請求の範囲の減縮及び明りょうでない記載の釈明を目的とするものに該当する。
　また、訂正事項１４が特許明細書に記載した事項の範囲内においてするものであり、実質上特許請求の範囲を拡張し、又は変更するものでないことは明らかである。
　
　２−１５．訂正事項１５について
　訂正事項１５は、特許無効審判の請求がされた請求項１６に係る訂正事項であって、以下の訂正事項（１５−１）〜（１５−３）からなるものである。
（１５−１）請求項１６の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（１５−２）請求項１６のプレミックスの気相組成における1,1,1,3,3-ペンタフルオロプロパン/1,1,1,3,3-ペンタフルオロブタンの重量比を、「25℃において1.5以上」から「25℃において1.7〜4」とする訂正事項。
（１５−３）請求項１６を請求項１２とする訂正事項。
　
　　２−１５−１．訂正事項（１５−１）について
　訂正事項（１５−１）は、より詳細にいえば、以下の訂正事項（１５−１−１）及び（１５−１−２）からなるものである。
（１５−１−１）請求項１６の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（１５−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−１５−１−１．訂正事項（１５−１−１）について
　訂正事項（１５−１−１）は、請求項１６の「グリコール化合物」を、特許明細書の請求項１８の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（１５−１−１）が特許明細書に記載した事項の範囲内においてするものであることは明らかである。
　
　　　２−１５−１−２．訂正事項（１５−１−２）について
　上記「２−５−１−２．訂正事項（５−１−２）について」で述べた理由と同様の理由により、訂正事項（１５−１−２）は、誤記の訂正を目的とするものに該当し、また、特許明細書に記載した事項の範囲内においてするものである。
　
　　　２−１５−１−３．訂正事項（１５−１）についてのまとめ
　したがって、訂正事項（１５−１−１）及び（１５−１−２）からなる訂正事項（１５−１）は、特許請求の範囲の減縮及び誤記の訂正を目的とするものに該当し、また、特許明細書に記載した事項の範囲内においてするものである。
　
　　２−１５−２．訂正事項（１５−２）について
　訂正事項（１５−２）は、請求項１６のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（１５−２）が特許明細書に記載した事項の範囲内においてするものであることは明らかである。
　
　　２−１５−３．訂正事項（１５−３）について
　訂正事項（１５−３）は、訂正事項１、７及び１１による請求項番号の整序に伴い、請求項１６の項番号を繰り上げて請求項１２とするものであるから、明りょうでない記載の釈明を目的とするものに該当する。
　また、訂正事項（１５−３）が特許明細書に記載した事項の範囲内においてするものであることは明らかである。
　
　　２−１５−４．訂正事項１５についてのまとめ
　したがって、訂正事項（１５−１）〜（１５−３）からなる訂正事項１５は、特許請求の範囲の減縮、誤記の訂正及び明りょうでない記載の釈明を目的とするものに該当する。
　また、訂正事項１５は、特許明細書に記載した事項の範囲内においてするものであり、実質上特許請求の範囲を拡張し、又は変更するものでない。
　
　２−１６．訂正事項１６について
　訂正事項１６は、特許無効審判の請求がされた請求項１７に係る訂正事項であって、訂正事項１、７、１１及び１５による請求項番号の整序に伴い、請求項１７の項番号を繰り上げて請求項１３とするとし、請求項１７で引用する請求項１６の項番号を繰り上げて請求項１２とするものであるから、明りょうでない記載の釈明を目的とするものに該当する。
　また、訂正事項１６が特許明細書に記載した事項の範囲内においてするものであり、実質上特許請求の範囲を拡張し、又は変更するものでないことは明らかである。
　
　２−１７．訂正事項１７について
　訂正事項１７は、特許無効審判の請求がされた請求項１８に係る訂正事項であって、請求項１８を削除するものであるから、特許請求の範囲の減縮を目的とするものに該当する。
　また、訂正事項１７が特許明細書に記載した事項の範囲内においてするものであり、実質上特許請求の範囲を拡張し、又は変更するものでないことは明らかである。
　
　２−１８．訂正事項１８について
　訂正事項１８は、特許無効審判の請求がされた請求項１９に係る訂正事項であって、以下の訂正事項（１８−１）〜（１８−３）からなるものである。
（１８−１）請求項１９の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（１８−２）請求項１９のプレミックスの気相組成における1,1,1,3,3-ペンタフルオロプロパン/1,1,1,3,3-ペンタフルオロブタンの重量比を、「25℃において1.5以上」から「25℃において1.7〜4」に限定する訂正事項。
（１８−３）請求項１９を請求項１４とする訂正事項。
　
　　２−１８−１．訂正事項（１８−１）について
　訂正事項（１８−１）は、より詳細にいえば、以下の訂正事項（１８−１−１）及び（１８−１−２）からなるものである。
（１８−１−１）請求項１９の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（１８−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−１８−１−１．訂正事項（１８−１−１）について
　上記訂正事項（１８−１−１）は、請求項１９の「グリコール化合物」を、特許明細書の請求項２２の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（１８−１−１）が特許明細書に記載した事項の範囲内においてするものであることは明らかである。
　
　　　２−１８−１−２．訂正事項（１８−１−２）について
　上記「２−５−１−２．訂正事項（５−１−２）について」で述べた理由と同様の理由により、訂正事項（１８−１−２）は、誤記の訂正を目的とするものに該当し、また、特許明細書に記載した事項の範囲内においてするものである。
　
　　　２−１８−１−３．訂正事項（１８−１）についてのまとめ
　したがって、訂正事項（１８−１−１）及び（１８−１−２）からなる訂正事項（１８−１）は、特許請求の範囲の減縮及び誤記の訂正を目的とするものに該当し、また、特許明細書に記載した事項の範囲内においてするものである。
　
　　２−１８−２．訂正事項（１８−２）について
　訂正事項（１８−２）は、請求項１９のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（１８−２）が特許明細書に記載した事項の範囲内においてするものであることは明らかである。
　
　　２−１８−３．訂正事項（１８−３）について
　訂正事項（１８−３）は、訂正事項１、７、１１及び１７による請求項番号の整序に伴い、請求項１９の項番号を繰り上げて請求項１４とするものであるから、明りょうでない記載の釈明を目的とするものに該当する。
　また、訂正事項（１８−３）が特許明細書に記載した事項の範囲内においてするものであることは明らかである。
　
　　２−１８−４．訂正事項１８についてのまとめ
　したがって、訂正事項（１８−１）〜（１８−３）からなる訂正事項１８は、特許請求の範囲の減縮、誤記の訂正及び明りょうでない記載の釈明を目的とするものに該当する。
　また、訂正事項１８は、特許明細書に記載した事項の範囲内においてするものであり、実質上特許請求の範囲を拡張し、又は変更するものでない。
　
　２−１９．訂正事項１９について
　訂正事項１９は、特許無効審判の請求がされた請求項２０に係る訂正事項であって、訂正事項１、７、１１、１７及び１８による請求項番号の整序に伴い、請求項２０の項番号を繰り上げて請求項１５とし、請求項２０で引用する請求項１９の項番号を繰り上げて請求項１４とするものであるから、明りょうでない記載の釈明を目的とするものに該当する。
　また、訂正事項１９が特許明細書に記載した事項の範囲内においてするものであり、実質上特許請求の範囲を拡張し、又は変更するものでないことは明らかである。
　
　２−２０．訂正事項２０について
　訂正事項２０は、特許無効審判の請求がされた請求項２１に係る訂正事項であって、
（２０−１）請求項２１の沸点が１５℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（２０−２）訂正事項１、７、１１、１７及び１８による請求項番号の整序に伴い、請求項２１の項番号を繰り上げて請求項１６とし、請求項２１で引用する請求項１９の項番号を繰り上げて請求項１４とする
ものであるから、特許請求の範囲の減縮及び明りょうでない記載の釈明を目的とするものに該当する。
　また、訂正事項２０が特許明細書に記載した事項の範囲内においてするものであり、実質上特許請求の範囲を拡張し、又は変更するものでないことは明らかである。
　
　２−２１．訂正事項２１について
　訂正事項２１は、特許無効審判の請求がされた請求項２２に係る訂正事項であって、請求項２２を削除するものであるから、特許請求の範囲の減縮を目的とするものに該当する。
　また、訂正事項２１が特許明細書に記載した事項の範囲内においてするものであり、実質上特許請求の範囲を拡張し、又は変更するものでないことは明らかである。
　
　２−２２．訂正事項２２について
　訂正事項２２は、特許無効審判の請求がされた請求項２５に係る訂正事項であって、
（２２−１）請求項２５のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定し、
（２２−２）訂正事項１、７、１１、１７及び２１による請求項番号の整序に伴い、請求項２５の項番号を繰り上げて請求項１７とする
ものであるから、特許請求の範囲の減縮及び明りょうでない記載の釈明を目的とするものに該当する。
　また、訂正事項２２が特許明細書に記載した事項の範囲内においてするものであり、実質上特許請求の範囲を拡張し、又は変更するものでないことは明らかである。
　
　２−２３．訂正事項２３について 
　訂正事項２３は、特許無効審判の請求がされた請求項２６に係る訂正事項であって、訂正事項１、７、１１、１７、２１及び２２による請求項番号の整序に伴い、請求項２６の項番号を繰り上げて請求項１８とし、請求項２６で引用する請求項２５の項番号を繰り上げて請求項１７とするものであるから、明りょうでない記載の釈明を目的とするものに該当する。
　また、訂正事項２３が特許明細書に記載した事項の範囲内においてするものであり、実質上特許請求の範囲を拡張し、又は変更するものでないことは明らかである。
　
　２−２４．訂正事項２４について
　訂正事項２４は、特許無効審判の請求がされた請求項２７に係る訂正事項であって、
（２４−１）請求項２７の沸点が１５℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（２４−２）訂正事項１、７、１１、１７、２１及び２２による請求項番号の整序に伴い、請求項２７の項番号を繰り上げて請求項１９とし、請求項２７で引用する請求項２５の項番号を繰り上げて請求項１７とする
ものであるから、特許請求の範囲の減縮及び明りょうでない記載の釈明を目的とするものに該当する。
　また、訂正事項２４が特許明細書に記載した事項の範囲内においてするものであり、実質上特許請求の範囲を拡張し、又は変更するものでないことは明らかである。
　
　２−２５．訂正事項２５について
　訂正事項２５は、特許無効審判の請求がされた請求項２８に係る訂正事項であって、以下の訂正事項（２５−１）〜（２５−３）からなるものである。
（２５−１）請求項２８の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（２５−２）請求項２８のプレミックスの気相組成における1,1,1,3,3-ペンタフルオロプロパン/1,1,1,3,3-ペンタフルオロブタンの重量比を、「25℃において1.5以上」から「25℃において1.7〜4」とする訂正事項。
（２５−３）請求項２８を請求項２０とする訂正事項。
　
　　２−２５−１．訂正事項（２５−１）について
　訂正事項（２５−１）は、より詳細にいえば、以下の訂正事項（２５−１−１）及び（２５−１−２）からなるものである。
（２５−１−１）請求項２８の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（２５−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−２５−１−１．訂正事項（２５−１−１）について
　訂正事項（２５−１−１）は、請求項２８の「グリコール化合物」を、特許明細書の請求項３０の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（２５−１−１）が特許明細書に記載した事項の範囲内においてするものであることは明らかである。
　
　　　２−２５−１−２．訂正事項（２５−１−２）について
　上記「２−５−１−２．訂正事項（５−１−２）について」で述べた理由と同様の理由により、訂正事項（２５−１−２）は、誤記の訂正を目的とするものに該当し、また、特許明細書に記載した事項の範囲内においてするものである。
　
　　　２−２５−１−３．訂正事項（２５−１）についてのまとめ
　したがって、訂正事項（２５−１−１）及び（２５−１−２）からなる訂正事項（２５−１）は、特許請求の範囲の減縮及び誤記の訂正を目的とするものに該当し、また、特許明細書に記載した事項の範囲内においてするものである。
　
　　２−２５−２．訂正事項（２５−２）について
　訂正事項（２５−２）は、請求項２８のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（２５−２）が特許明細書に記載した事項の範囲内においてするものであることは明らかである。
　
　　２−２５−３．訂正事項（２５−３）について
　訂正事項（２５−３）は、訂正事項１、７、１１、１７及び２１による請求項番号の整序に伴い、請求項２８の項番号を繰り上げて請求項２０とするものであるから、明りょうでない記載の釈明を目的とするものに該当する。
　また、訂正事項（２５−３）が特許明細書に記載した事項の範囲内においてするものであることは明らかである。
　
　　２−２５−４．訂正事項２５についてのまとめ
　したがって、訂正事項（２５−１）〜（２５−３）からなる訂正事項２５は、特許請求の範囲の減縮、誤記の訂正及び明りょうでない記載の釈明を目的とするものに該当する。
　また、訂正事項２５は、特許明細書に記載した事項の範囲内においてするものであり、実質上特許請求の範囲を拡張し、又は変更するものでない。
　
　２−２６．訂正事項２６について
　訂正事項２６は、特許無効審判の請求がされた請求項２９に係る訂正事項であって、訂正事項１、７、１１、１７、２１及び２５による請求項番号の整序に伴い、請求項２９の項番号を繰り上げて請求項２１とし、請求項２９で引用する請求項２８の項番号を繰り上げて請求項２０とするものであるから、明りょうでない記載の釈明を目的とするものに該当する。
　また、訂正事項２６が特許明細書に記載した事項の範囲内においてするものであり、実質上特許請求の範囲を拡張し、又は変更するものでないことは明らかである。
　
　２−２７．訂正事項２７について
　訂正事項２７は、特許無効審判の請求がされた請求項３０に係る訂正事項であって、請求項３０を削除するものであるから、特許請求の範囲の減縮を目的とするものに該当する。
　また、訂正事項２７が特許明細書に記載した事項の範囲内においてするものであり、実質上特許請求の範囲を拡張し、又は変更するものでないことは明らかである。
　
　２−２８．訂正事項２８について
　訂正事項２８は、特許無効審判の請求がされた請求項３１に係る訂正事項であって、以下の訂正事項（２８−１）〜（２８−３）からなるものである。
（２８−１）請求項３１の「グリコール化合物」を、「以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（２８−２）請求項３１のプレミックスの気相組成における1,1,1,3,3-ペンタフルオロプロパン/1,1,1,3,3-ペンタフルオロブタンの重量比を、「25℃において1.5以上」から「25℃において1.7〜4」とする訂正事項。
（２８−３）請求項３１を請求項２２とする訂正事項。
　
　　２−２８−１．訂正事項（２８−１）について
　訂正事項（２８−１）は、より詳細にいえば、以下の訂正事項（２８−１−１）及び（２８−１−２）からなるものである。
（２８−１−１）請求項３１の「グリコール化合物」を、「以下の式(A)〜(C)で示される化合物からなる群から選択される少なくとも１種のグリコール化合物；
式(Ａ) CaH2a+1(OCH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1CO(OCH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1CO(OCH2CH2O)jCkH2k+1　
[式中、i, jおよびkは、独立にi=0, 1, 2, 3, 4、j=1, 2, 3, 4、k=0, 1, 2, 3, 4]」
とする訂正事項。
（２８−１−２）更に上記式（Ａ）〜（Ｃ）を、
「式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]」
とする訂正事項。
　
　　　２−２８−１−１．訂正事項（２８−１−１）について
　訂正事項（２８−１−１）は、請求項３１の「グリコール化合物」を、特許明細書の請求項３４の記載に基づいて、「式(A)〜(C)で示される化合物からなる群から選択される少なくとも１種のグリコール化合物」に限定するものであるから、特許請求の範囲の減縮を目的とするものに該当する。
　また、訂正事項（２８−１−１）が特許明細書に記載した事項の範囲内においてするものであることは明らかである。
　
　　　２−２８−１−２．訂正事項（２８−１−２）について
　上記「２−５−１−２．訂正事項（５−１−２）について」で述べた理由と同様の理由により、訂正事項（２８−１−２）は、誤記の訂正を目的とするものに該当し、また、特許明細書に記載した事項の範囲内においてするものである。
　
　　　２−２８−１−３．訂正事項（２８−１）についてのまとめ
　したがって、訂正事項（２８−１−１）及び（２８−１−２）からなる訂正事項（２８−１）は、特許請求の範囲の減縮及び誤記の訂正を目的とするものに該当し、また、特許明細書に記載した事項の範囲内においてするものである。
　
　　２−２８−２．訂正事項（２８−２）について
　訂正事項（２８−２）は、請求項３１のプレミックスの気相組成における1,1,1,3,3-ペンタフルオロプロパン/1,1,1,3,3-ペンタフルオロブタンの重量比を、特許明細書の段落【００３２】の記載に基づいて、「25℃において1.5以上」から「25℃において1.7〜4」に限定するものであるから、特許請求の範囲の減縮を目的とするものに該当する。
　また、訂正事項（２８−２）が特許明細書に記載した事項の範囲内においてするものであることは明らかである。
　
　　２−２８−３．訂正事項（２８−３）について
　訂正事項（２８−３）は、訂正事項１、７、１１、１７、２１及び２７による請求項番号の整序に伴い、請求項３１の項番号を繰り上げて請求項２２とするものであるから、明りょうでない記載の釈明を目的とするものに該当する。
　また、訂正事項（２８−３）が特許明細書に記載した事項の範囲内においてするものであることは明らかである。
　
　　２−２８−４．訂正事項２８についてのまとめ
　したがって、訂正事項（２８−１）〜（２８−３）からなる訂正事項２８は、特許請求の範囲の減縮、誤記の訂正及び明りょうでない記載の釈明を目的とするものに該当する。
　また、訂正事項２８は、特許明細書に記載した事項の範囲内においてするものであり、実質上特許請求の範囲を拡張し、又は変更するものでない。
　
　２−２９．訂正事項２９について
　訂正事項２９は、特許無効審判の請求がされた請求項３２に係る訂正事項であって、訂正事項１、７、１１、１７、２１、２７及び２８による請求項番号の整序に伴い、請求項３２の項番号を繰り上げて請求項２３とするとし、請求項３２で引用する請求項３１の項番号を繰り上げて請求項２２とするものであるから、明りょうでない記載の釈明を目的とするものに該当する。
　また、訂正事項２９が特許明細書に記載した事項の範囲内においてするものであり、実質上特許請求の範囲を拡張し、又は変更するものでないことは明らかである。
　
　２−３０．訂正事項３０について
　訂正事項３０は、特許無効審判の請求がされた請求項３３に係る訂正事項であって、
（３０−１）請求項３３の発泡剤において、沸点が１５℃以上のハロゲン化エーテルを、「以下に示される化合物からなる群から選択される少なくとも１種の化合物：
1,1,2,2-テトラフルオロエチルジフルオロメチルエーテル、1,1,2,2-テトラフルオロエチルメチルエーテル、・・・および1,2,2-トリフルオロエチレン-1,1,2,2,3,3,3-ヘプタフルオロプロピルエーテル。」から「1,1,2,2-テトラフルオロエチルメチルエーテル」に限定し、
（３０−２）訂正事項１、７、１１、１７、２１、２７及び２８による請求項番号の整序に伴い、請求項３３の項番号を繰り上げて請求項２４とし、請求項３３で引用する請求項３１の項番号を繰り上げて請求項２２とする
ものであるから、特許請求の範囲の減縮及び明りょうでない記載の釈明を目的とするものに該当する。
　また、訂正事項３０が特許明細書に記載した事項の範囲内においてするものであり、実質上特許請求の範囲を拡張し、又は変更するものでないことは明らかである。
　
　２−３１．訂正事項３１について
　訂正事項３１は、特許無効審判の請求がされた請求項３４に係る訂正事項であって、請求項３４を削除するものであるから、特許請求の範囲の減縮を目的とするものに該当する。
　また、訂正事項３１が特許明細書に記載した事項の範囲内においてするものであり、実質上特許請求の範囲を拡張し、又は変更するものでないことは明らかである。
　
　２−３２．訂正事項３２について
　訂正事項３２は、明細書の段落【００５７】に係る訂正事項であって、以下の訂正事項（３２−１）及び（３２−２）からなるものである。
（３２−１）段落【００５７】の「蒸気圧」を「沸点」とする訂正事項。
（３２−２）段落【００５７】の「18〜28」を「18〜28℃」とする訂正事項。
　
　　２−３２−１．訂正事項（３２−１）について
　特許明細書の段落【００５６】及び【００５７】には、以下の事項が記載されている。
「【００５６】
ポリオール、HFC245fa、HFC365mfc、ハロゲン含有化合物などを含むプレミックスの沸点は、17℃〜32℃程度になることが好ましい。
【００５７】
ハロゲン含有化合物を含む発泡剤とポリオールとの混合物(プレミックス)の蒸気圧は、特に制限されないが、通常17〜32℃程度、好ましくは18〜28程度、より好ましくは20〜28℃程度である。」
　
　そして、上記段落【００５７】の「蒸気圧は、・・・、通常17〜32℃程度、・・・、より好ましくは20〜28℃程度である。」との記載からみて、訂正前の「蒸気圧」は温度を単位とする何らかの物性の誤記であると認められ、また、段落【００５６】における段落【００５７】と同趣旨の「・・・プレミックスの沸点は、17℃〜32℃程度になることが好ましい。」との記載からみて、訂正前の「蒸気圧」が訂正後の「沸点」の誤記であることは明らかである。
　
　　２−３２−２．訂正事項（３２−２）について
　訂正前の段落【００５７】の「18〜28」は、その直前の「通常17〜32℃程度」なる温度範囲の好ましい範囲を記載したものであるから、「℃」の単位が脱落した誤記であることは明らかである。
　
　　２−３２−３．訂正事項３２についてのまとめ
　したがって、訂正事項３２は、誤記の訂正を目的とするものに該当する。
　また、訂正事項３２は、誤記を本来意図していたことが明らかな記載に正すものであるから、特許明細書に記載した事項の範囲内においてするものであり、実質上特許請求の範囲を拡張し、又は変更するものでない。
　
　２−３３．訂正事項３３について
　訂正事項３３は、特許明細書の発明の詳細な説明の段落【００６１】に係る訂正事項であって、訂正事項５、８、１５、１８、２５及び２８に伴い、特許請求の範囲の記載と発明の詳細な説明の段落【００６１】の記載との間に生じた不整合を整合させるものであるから、明りょうでない記載の釈明を目的とするものに該当する。
　また、訂正事項３３が特許明細書に記載した事項の範囲内においてするものであり、実質上特許請求の範囲を拡張し、又は変更するものでないことは明らかである。
　
３．請求人の主張についての検討
　３−１．請求人の主張
　請求人は、平成２０年１２月２６日付け弁駁書、平成２１年３月２日付け口頭審理陳述要領書及び平成２１年３月４日付け上申書において、訂正事項５、８、１５、１８、２５、２８及び３３に関して、概略以下の（主張１）〜（主張３）のとおり主張している。
（主張１）
「式（Ａ）のエチレングリコール化合物の具体例として挙げられている第１次訂正明細書の［0062］に記載のエチレングリコールＨＯ−Ｃ２Ｈ４−ＯＨおよびエチレングリコールメチルエーテルＨＯ−Ｃ２Ｈ４−Ｏ−ＣＨ３は、訂正前の構造式（Ａ）CaH2a+1(OCH2CH2O)bCcH2c+1に合致しており、少なくともエチレングリコールおよびエチレングリコールメチルエーテルについて、訂正前の構造式（Ａ）CaH2a+1(OCH2CH2O)bCcH2c+1に誤りはない。これらの他にも、第１次訂正明細書の［0062］に記載された化合物（たとえば、エチレングリコールジメチルエーテル、エチレングリコールエチルエーテル、エチレングリコールジエチルエーテル、エチレングリコールプロピルエーテル、エチレングリコールジプロピルエーテル、エチレングリコールブチルエーテルおよびエチレングリコールジブチルエーテル）が訂正前の構造式（Ａ）に合致する。
　式（Ｂ）のエチレングリコール化合物の具体例として挙げられている第１次訂正明細書の［0063］に記載された化合物（たとえば、エチレングリコールジフォルメート、エチレングリコールジアセテート、エチレングリコールジプロピオネート）が訂正前の構造式（Ｂ）に合致する。
　また、式（Ｃ）のエチレングリコール化合物の具体例として挙げられている第１次訂正明細書の［0064］に記載の化合物（たとえば、エチレングリコールメチルエーテルフォルメート、エチレングリコールエチルエーテルフォルメート、エチレングリコールプロピルエーテルフォルメート、エチレングリコールメチルエーテルアセテート、エチレングリコールエチルエーテルアセテート、エチレングリコールプロピルエーテルアセテート、エチレングリコールメチルエーテルプロピオネート、エチレングリコールエチルエーテルプロピオネート、エチレングリコールプロピルエーテルプロピオネート）が訂正前の構造式（Ｃ）に合致する。
　したがって、第１次訂正明細書の記載によれば、式（Ａ）、（Ｂ）および（Ｃ）がいずれも誤った構造式を示しているということではなく、本件訂正前の式（Ａ）、（Ｂ）および（Ｃ）に必ずしも誤記があるとはいえない。」
（口頭審理陳述要領書第３頁最下行〜第４頁第２６行）
（主張２）
「仮に、式（Ａ）、（Ｂ）および（Ｃ）が誤っているとしても、１１月２１日付け訂正請求書に添付された訂正明細書（以下、『第２次訂正明細書』という）に記載された式（Ａ）、（Ｂ）および（Ｃ）であることは、本件特許出願当初の明細書の記載から自明ではない。
　被請求人は『式（Ａ）〜（Ｃ）で示される化合物の誤った構造式を、基準明細書の段落0062〜0065、同段落0110の実施例３および４に具体的に示されるグリコール化合物の記載に基づき正しい構造式に訂正するものである』（訂正請求書・１５頁５行〜８行）と主張する。
　被請求人が訂正の根拠としている、第２次訂正明細書の［0063］には、訂正された式（Ｂ）で示されるエチレングリコール化合物の具体例として、○１（審決注：○で囲まれた数字が表記できないため、○の右側に数字を付して表記する。以下、同様。）エチレングリコールモノフォルメート、○２エチレングリコールモノアセテートおよび○３エチレングリコールモノプロピオネートが記載されている
　○１エチレングリコールモノフォルメート
　　　ＨＣＯ−Ｏ−ＣＨ２−ＣＨ２−ＯＨ
　○２エチレングリコールモノアセテート
　　　ＣＨ３−ＣＯ−Ｏ−ＣＨ２−ＣＨ２−ＯＨ
　○３エチレングリコールモノプロピオネート
　　　ＣＨ３−ＣＨ２−ＣＯ−Ｏ−ＣＨ２−ＣＨ２−ＯＨ
　しかしながら、これらの化合物は、本件訂正後の式（Ｂ）の式『CdH2d+1COO(CH2CH2O)eCO CfH2f+1』で表すことはできない。したがって、本件訂正後の式（Ｂ）は、発明の詳細な説明に記載に挙げられた具体的な化合物の例と矛盾することとなり、当初明細書の記載から自明とはいえない。
　したがって、第１次訂正明細書の請求項６（本件訂正後の請求項４）に記載の式（Ａ）〜（Ｃ）の訂正は１３４条の２第１項第２号の誤記の訂正に該当しない。」
（口頭審理陳述要領書第４頁最下行〜第５頁第２４行）
（主張３）
「また、式（Ａ）〜（Ｃ）を訂正することによって、本件訂正前に含まれていなかった化合物を新たに包含することとなるから、本件訂正は実質上特許請求の範囲を拡張し、または変更することになる。
　したがって、本件訂正は１３４条の２第５項が準用する１２６条４項の要件を満たさない。」
（口頭審理陳述要領書第５頁第２５行〜第６頁第３行）
　
　３−２．（主張１）についての検討
　請求人が訂正前の式（Ａ）に合致するとして指摘した化合物は、いずれも、同式（Ａ）においてｂ＝１である場合の化学式に該当するもののみである。
　そして、上記「２−５−２−１．式（Ａ）について」で述べたとおり、訂正前の式（Ａ）においてｂ＝２、３、４である場合の化学式は、特許明細書の段落【００６２】に例示された化合物を表すものとして適切でないから、訂正前の式（Ａ）の記載が何らかの誤記を含むものであることは明らかである。
　また、同様の理由により、訂正前の式（Ｂ）及び式（Ｃ）の記載が何らかの誤記を含むものであることも明らかである。
　
　３−３．（主張２）についての検討
　上記「２−５−２−２．式（Ｂ）について」で述べたとおり、請求人が訂正明細書の式（Ｂ）で表すことができないとして指摘した化合物は、いずれも、エチレングリコールのモノエステル誘導体であるから、本来、モノエステル誘導体の化学式である式（Ｃ）で表されるグリコール化合物の具体例として例示すべきものを誤って、式（Ｂ）で表されるグリコール化合物の具体例として例示したものと認められる。
　また、請求人が指摘していない「ジエチレングリコールモノフォルメート」、「トリエチレングリコールモノフォルメート」、「ジエチレングリコールモノアセテート」、「トリエチレングリコールモノアセテート」、「ジエチレングリコールモノプロピオネート」、「トリエチレングリコールモノプロピオネート」なるジエチレングリコール又はトリエチレングリコールのモノエステル誘導体も、本来、モノエステル誘導体の化学式である式（Ｃ）で表されるグリコール化合物の具体例として例示すべきものを誤って、式（Ｂ）で表されるグリコール化合物の具体例として例示したものと認められる。
　そして、上記モノエステル誘導体以外の特許明細書の段落【００６３】に例示された化合物は、いずれも訂正明細書の式（Ｂ）で表すことができるものであるから、訂正前の式（Ｂ）の記載が、本来、訂正後の式（Ｂ）の記載を意図していたものであることは明らかである。
　
　３−４．（主張３）についての検討
　上記「２−５−２．訂正事項（５−２）について」で述べたとおり、式（Ａ）〜式（Ｃ）の訂正は、誤って記載された化学式を、本来意図していたことが明らかな化学式に正すものであるから、訂正前の式（Ａ）〜式（Ｃ）の化学式に包含されていなかった新たな化合物を追加するものでないことは明らかである。
　
　３−５．請求人の主張についての検討のまとめ
　してみると、請求人が主張する（主張１）〜（主張３）は、いずれも採用することができないものである。
　
４．訂正の請求についてのまとめ
　したがって、上記訂正事項１〜３３からなる本件訂正は、特許法第１３４条の２第１項ただし書第１号〜第３号に掲げる事項を目的とし、同条第５項において準用する同法第１２６条第３項及び第４項の規定に適合するから、本件訂正を認める。
　
　
第３．本件発明
　「第２．訂正の請求について」で述べたとおり、本件訂正は認められたから、特許第３８９４３２６号の請求項１〜２４に係る発明（以下、それぞれ、「本件発明１」〜「本件発明２４」という。）は、訂正明細書の記載からみて、それぞれ、その特許請求の範囲の請求項１〜２４に記載された事項により特定される以下のとおりのものである。  
　
「【請求項１】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、沸点が15℃以上のハロゲン化エーテルを含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。
【請求項２】
得られたプレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項１に記載の発泡体の製造方法。
【請求項３】
沸点が15℃以上のハロゲン化エーテルが、1,1,2,2-テトラフルオロエチルメチルエーテルである請求項１に記載の発泡体の製造方法。
【請求項４】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。
【請求項５】
得られたプレミックスの40℃における蒸気圧が、グリコール化合物を除いた以外は前記プレミックスと同じ重量組成比のプレミックスの40℃における蒸気圧に対して、９５％以下である請求項４に記載の発泡体の製造方法。
【請求項６】
発泡剤の存在下に、ポリオールとポリイソシアネート化合物とを反応させてポリウレタンまたはポリイソシアヌレートの発泡体を製造する方法において、
前記発泡剤として、1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、
前記発泡剤とポリオールとを含むプレミックスを調製する工程を有し、
得られるプレミックスの気相組成における1,1,1,3,3-ペンタフルオロプロパン/1,1,1,3,3-ペンタフルオロブタンの重量比が、25℃において1.7〜4である発泡体の製造方法。
【請求項７】
得られたプレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項６に記載の発泡体の製造方法。
【請求項８】
沸点が15℃以上のハロゲン化エーテルが、1,1,2,2-テトラフルオロエチルメチルエーテルである請求項６に記載の発泡体の製造方法。
【請求項９】
ポリウレタンまたはポリイソシアヌレート用発泡剤であって、
1,1,1,3,3-ペンタフルオロプロパンと1,1,1,3,3-ペンタフルオロブタン、更に、沸点が15℃以上のハロゲン化エーテルを含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。
【請求項１０】
発泡剤とポリオールとを含むプレミックスとしたときに、
前記プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して９５％以下である請求項９に記載の発泡剤。
【請求項１１】
沸点15℃以上のハロゲン化エーテルが、1,1,2,2-テトラフルオロエチルメチルエーテルである請求項９に記載の発泡剤。
【請求項１２】
ポリウレタンまたはポリイソシアヌレート用発泡剤であって、
1,1,1,3,3-ペンタフルオロプロパンと1,1,1,3,3-ペンタフルオロブタン、更に、以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。
【請求項１３】
ポリオールと発泡剤とを含むプレミックスとしたときに、
前記プレミックスの40℃における蒸気圧が、前記プレミックスからグリコール化合物を除いた以外は前記プレミックスと同じ重量組成比のプレミックスの40℃における蒸気圧に対して、９５％以下である請求項１２に記載の発泡剤。
【請求項１４】
ポリウレタンまたはポリイソシアヌレート用発泡剤であって、
1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含み、
発泡剤とポリオールとを含むプレミックスとしたときに、プレミックスの気相組成における1,1,1,3,3-ペンタフルオロプロパン/1,1,1,3,3-ペンタフルオロブタンの重量比が、25℃において1.7〜4となる発泡剤。
【請求項１５】
ポリオールと発泡剤とを含むプレミックスとしたときに、
前記プレミックスの40℃における蒸気圧が、前記プレミックスから(i)沸点が15℃以上のハロゲン化エーテルと(ii)グリコール化合物を除いた以外は同じ重量組成比のプレミックスの40℃における蒸気圧に対して、９５％以下である請求項１４に記載の発泡剤。
【請求項１６】
沸点が15℃以上のハロゲン化エーテルが、1,1,2,2-テトラフルオロエチルメチルエーテルである請求項１４に記載の発泡剤。
【請求項１７】
発泡剤とポリオールとを含むプレミックスであって、
発泡剤が、1,1,1,3,3-ペンタフルオロプロパンと1,1,1,3,3-ペンタフルオロブタン、更に、沸点が15℃以上のハロゲン化エーテルを含む混合物であり、プレミックスの気相組成における1,1,1,3,3-ペンタフルオロプロパン/1,1,1,3,3-ペンタフルオロブタンの重量比が、25℃で1.7〜4であるプレミックス。
【請求項１８】
プレミックスの40℃における蒸気圧が、前記プレミックス中の発泡剤の重量組成比及びHFC245fa／HFC365mfc重量組成比を変えずに沸点が15℃以上のハロゲン化エーテルを除いたプレミックスの40℃における蒸気圧に対して、９５％以下である請求項１７に記載のプレミックス。
【請求項１９】
前記の沸点15℃以上のハロゲン化エーテルが、1,1,2,2-テトラフルオロエチルメチルエーテルである請求項１７に記載のプレミックス。
【請求項２０】
発泡剤とポリオールとを含むプレミックスであって、
発泡剤が、1,1,1,3,3-ペンタフルオロプロパンと1,1,1,3,3-ペンタフルオロブタン、更に、以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物であり、プレミックスの気相組成における1,1,1,3,3-ペンタフルオロプロパン/1,1,1,3,3-ペンタフルオロブタンの重量比が、25℃で1.7〜4であるプレミックス。
【請求項２１】
プレミックスの40℃における蒸気圧が、前記プレミックスからグリコール化合物を除いた以外は前記プレミックスと同じ重量組成比のプレミックスの40℃における蒸気圧に対して、９５％以下である請求項２０に記載のプレミックス。
【請求項２２】
発泡剤とポリオールとを含むプレミックスであって、
発泡剤が、1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物であり、プレミックスの気相組成における1,1,1,3,3-ペンタフルオロプロパン/1,1,1,3,3-ペンタフルオロブタンの重量比が、25℃で1.7〜4であるプレミックス。
【請求項２３】
プレミックスの40℃における蒸気圧が、前記プレミックスから(i)沸点が15℃以上のハロゲン化エーテルと(ii)グリコール化合物を除いた以外は前記プレミックスと同じ重量組成比のプレミックスの40℃における蒸気圧に対して、９５％以下である請求項２２に記載のプレミックス。
【請求項２４】
前記の沸点15℃以上のハロゲン化エーテルが、1,1,2,2-テトラフルオロエチルメチルエーテルである請求項２２に記載のプレミックス。
　
　
第４．請求人の主張の概要
　請求人は、特許第３８９４３２６号の請求項３〜２２、２５〜３４に係る発明についての特許を無効にする、審判費用は被請求人の負担とする、との審決を求めたところ、本件訂正により、請求項３〜２２、２５〜３４は、請求項１〜２４に訂正された。
　審判請求書、本件訂正後に請求人が提出した平成２０年１２月２６日付け弁駁書、平成２１年３月２日付け口頭審理陳述要領書及び同年３月４日付け上申書の記載からみて、本件特許無効審判の請求の趣旨は、「本件訂正後の特許第３８９４３２６号の請求項１〜２４に係る発明についての特許（以下、まとめて「本件特許」ということがある。）を無効にする。審判費用は被請求人の負担とする。」旨の審決を求めるものと認められる。
　そして、請求人は、以下の「１．無効理由の概要」で述べる無効理由１〜５により、本件特許は無効にすべきものであると主張し、その証拠方法として、以下の「２．証拠方法」で述べる甲第１号証〜甲第５号証、甲第７号証〜甲第１２号証及び参考資料１を提出している。
　
１．無効理由の概要
　１−１．無効理由１
　本件発明１〜３、９〜１１、１７〜１９は、甲第１号証又は甲第２号証に記載された発明と、甲第３号証に記載された発明と、甲第７号証に記載された発明に基いて、当業者が容易に発明をすることができたものであるから、特許法第２９条第２項の規定により、特許を受けることができない。 
　したがって、本件発明１〜３、９〜１１、１７〜１９についての特許は、特許法第１２３条第１項第２号に該当し、無効にされるべきである。
　
　１−２．無効理由２
　本件発明４、５、１２、１３、２０、２１は、甲第１号証又は甲第２号証に記載された発明と、甲第４号証又は甲第５号証に記載された発明と、甲第７号証に記載された発明に基いて、当業者が容易に発明をすることができたものであるから、特許法第２９条第２項の規定により、特許を受けることができない。
　したがって、本件発明４、５、１２、１３、２０、２１についての特許は、特許法第１２３条第１項第２号に該当し、無効にされるべきである。
　
　１−３．無効理由３
　本件発明６〜８、１４〜１６、２２〜２４は、甲第１号証又は甲第２号証に記載された発明と、甲第３号証に記載された発明と、甲第４号証又は甲第５号証に記載された発明と、甲第７号証に記載された発明に基いて、当業者が容易に発明をすることができたものであるから、特許法第２９条第２項の規定により、特許を受けることができない。
　したがって、本件発明６〜８、１４〜１６、２２〜２４についての特許は、特許法第１２３条第１項第２号に該当し、無効にされるべきである。
　
　１−４．無効理由４
　訂正明細書の発明の詳細な説明は、本件発明１〜２４を、当業者が実施をすることができる程度に、明確かつ十分に記載されていないから、本件特許に係る出願は、特許法第３６条第４項第１号に規定する要件を満たしていない。
　したがって、本件発明１〜２４についての特許は、特許法第１２３条第１項第４号に該当し、無効にされるべきである。
　
　１−５．無効理由５
　本件発明１〜２４は、訂正明細書の発明の詳細な説明に記載したものでないから、本件特許に係る出願は、特許法第３６条第６項第１号に規定する要件を満たしていない。
　したがって、本件発明１〜２４についての特許は、特許法第１２３条第１項第４号に該当し、無効にされるべきである。
　
２．証拠方法
　甲第１号証：特開２００１−２４７６４５号公報
　甲第２号証：特開２００１−３１０９２３号公報
　甲第３号証：特開平４−３５９９３６号公報
　甲第４号証：特開平２−２３５９８２号公報
　甲第５号証：特表平５−５０５２０５号公報
　甲第７号証：施工部会・ウレタン対策専門部会編「ウレタン火災を防ごう
　　　　　　　」，社団法人建築業協会，平成１１年１０月発行
　甲第８号証：化学大辞典編集委員会編「化学大辞典３　縮刷版」，共立出
　　　　　　　版株式会社，２００１年９月２０日縮刷版第３７刷発行，第
　　　　　　　９５〜９６頁「グリコール」の項
　甲第９号証：化学大辞典編集委員会編「化学大辞典４　縮刷版」，共立出
　　　　　　　版株式会社，２００１年９月２０日縮刷版第３７刷発行，第
　　　　　　　７５８頁「蒸気圧降下」の項
　甲第１０号証：実験成績証明書（２００７年４月２６日　セントラル硝子
　　　　　　　　（株）化学研究所　玉井良一作成）
　甲第１１号証：化学大辞典編集委員会編「化学大辞典４　縮刷版」，共立
　　　　　　　　出版株式会社，２００１年９月２０日縮刷版第３７刷発行
　　　　　　　　，第８３０頁「触媒」の項
　甲第１２号証：新村出編「広辞苑　第五版」，株式会社岩波書店，１９９
　　　　　　　　８年１１月１１日第５版第１刷発行，第１３４２頁「触媒
　　　　　　　　」の項
　参考資料１：日本ウレタン工業協会のウェブページの一部（「もっと！知
　　　　　　　りたいウレタン」（http://www.urethane-jp.org/shiritai/
　　　　　　　shiritai_03_02.html ）及び「トピックス」（http://www.u
　　　　　　　rethane-jp.org/topics/2003/10/hfc_1.html））を印字した
　　　　　　　もの（それぞれ２００８年１月２１日付け及び２００８年１
　　　　　　　月２４日付け）
　
　なお、請求人の提出した甲第６号証は、平成２１年３月２日に行われた第１回口頭審理において参考資料１とされた（第１回口頭審理調書　請求人の２の項）。
　また、甲第１号証〜甲第５号証及び甲第７号証〜甲第１２号証の成立について当事者間に争いはない。
　
　
第５．被請求人の主張の概要
　被請求人は、「本件審判請求は成り立たない。審判費用は請求人の負担とする。」旨の審決を求め、本件特許は、上記無効理由１〜５によっては無効とすることができないと主張し、その証拠方法として乙第１号証〜乙第４号証を提出している。
　
１．証拠方法
　乙第１号証：特許第３８９４３２６号の平成１９年１２月２１日付け訂正
　　　　　　　請求書に添付した訂正明細書
　乙第２号証：「圧縮式ヒートポンプ用新規冷媒研究開発　評価報告書」，
　　　　　　　新エネルギー・産業技術総合開発機構　環境負荷物質低減技
　　　　　　　術開発委員会，平成８年３月発行，第４２〜４３頁の写し
　乙第３号証：「1994 INTERNATIONAL CFC AND HALON ALTERNATIVES
　　　　　　　CONFERENCE　CONFERENCE PROCEEDINGS」，１９９４年１
　　　　　　　０月２４日発行
　乙第４号証：特開２００５−２３２５９号公報
　
　なお、乙第１号証〜乙第４号証の成立について当事者間に争いはない。
　
　
第６．無効理由５についての検討
　請求人の主張する無効理由５の詳細は、
「発明の詳細な説明に記載された『プレミックス燃焼性の克服』という課題を解決するための手段が、本件発明の構成要件に反映されておらず、結果的に本件発明は当該課題を解決できていない範囲を含んでいる。
　よって、本件発明は発明の詳細な説明に記載した範囲を超えている。」
（口頭審理陳述要領書第２６頁第４〜７行）
というものである。
　そこで、本件発明１〜２４の全般にわたり、発明の詳細な説明に記載された課題を解決し得るか否かについて、以下に検討する。
　
１．本件発明１について
　１−１．本件発明１の発明特定事項
　本件発明１は、「発泡剤の存在下に、ポリオールとポリイソシアネート化合物とを反応させてポリウレタンまたはポリイソシアヌレートの発泡体を製造する方法」に関するものであって、「発泡剤として、1,1,1,3,3-ペンタフルオロプロパンと1,1,1,3,3-ペンタフルオロブタン、更に、沸点が15℃以上のハロゲン化エーテルを含む混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「ハロゲン化エーテル含有プレミックス」という。）を用いることを、発明を特定するために必要と認める事項（以下、「発明特定事項」という。）として有するものである。
　
　１−２．本件発明１の解決しようとする課題
　訂正明細書の発明の詳細な説明（以下、単に「発明の詳細な説明」という。）には、本件発明１の解決しようとする課題に関して、以下の事項が記載されている。
「【００１３】
しかしながら、HFC365mfcには燃焼範囲(3.8%〜13.3%)があり、燃焼する可能性がある。発泡剤としては、不燃性である方が適当である。特に建築現場等で発泡して使用する場合は不燃性が強く求められている。また、HFC365mfcも、ポリオールに対する溶解性は、HCFC141ｂやCFC11に比較するとやや低い。
【００１４】
このように、HFC-365mfcをHCFC-141bの代替品として有効に使用するために、その燃焼性、溶解性等を制御する技術の開発が望まれている。
【００１５】
一方、特表2001-506291には、HFC365mfc 50〜99重量％並びにHFC245faなどのフルオロ炭化水素1〜50重量％を含有する混合物が、ポリウレタン発泡材料などの発泡プラスチックを製造するための発泡ガスとして使用できることが開示されている。前記公報に記載されている混合物は、HFC365mfcの割合が50重量%以上99％以下であるので、HFC365mfcの可燃性の課題が依然として解消されていないと考えられる。
【００１６】
また、米国特許6451867号には、51〜99重量％のHFC245faと1〜49重量％のHFC365mfcを含む組成物が開示されている。この文献には、HFC245fa過剰の組成とすると、断熱性の指標であるｋ−ファクターがHFC245faまたはHFC365mfc単独の場合よりも改善されることが開示されている。しかしながら、発泡剤やプレミックスの燃焼性については記載がない。
【００１７】
また、特開2002-47323号公報には、硬質ポリウレタンファームを製造する際に、ハイドロフルオロカーボンを発泡剤として使用し、且つ特定のフッ素系界面活性剤を使用する旨が開示されている。上記文献には、ハイドロフルオロカーボンとして、5〜95重量％のHFC245faと95〜5重量％のHFC365mfcの混合物を使用できると記載されている。上記文献は、難燃性に優れた硬質ポリウレタンフォームを得ることを課題としているが、プレミックスの難燃性については、何ら記載されていない。
【００１８】
発 明 の 開 示
本発明は、HFC-245faまたはHF365mfcの発泡剤としての性能は維持したままで、HFC-245faおよびHFC365mfcの有する課題を解決または低減した発泡剤および前記発泡剤を使用した合成樹脂発泡体の製造方法および前記発泡剤を含むプレミックスを提供することを主な目的とする。
【００１９】
本発明者は、従来技術における上記の如き問題点に鑑みて研究を重ねた結果、発泡剤の存在下に、ポリオールとポリイソシアネート化合物とを反応させて、ポリウレタン、ポリイソシアヌレートなどの合成樹脂発泡体を製造する方法において、1,1,1,3,3-ペンタフルオロプロパンと1,1,1,3,3-ペンタフルオロブタンとを含み、特定の組成を有する混合物を発泡剤として用いることにより、目的を達成し得ることを見出し、ここに本発明を完成するに至った。」（段落【００１３】〜【００１９】）
「【００２７】
実際の発泡体の製造工程においては、発泡剤とポリオールとを含む混合物、即ち、プレミックスの状態とした時に不燃性であることが求められる。プレミックスは、発泡剤とポリオール以外に、通常、発泡剤製造用触媒、整泡剤、分解抑制剤(安定剤)等を含んでいる。」
（段落【００２７】）
　
　上記記載事項からみて、本件発明１は、少なくとも、プレミックスの燃焼性の抑制を、その解決しようとする課題として有するものと認められる。
　
　１−３．発明の詳細な説明の記載についての検討
　本件発明１の全般にわたり、上記プレミックスの燃焼性の抑制なる課題を解決し得るか否かについて、以下に検討する。
　
　　１−３−１．具体例の記載
　発明の詳細な説明には、本件発明１の発明特定事項であるハロゲン化エーテル含有プレミックスの燃焼性に関する具体的な評価試験結果として、実施例４及び１２に「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の「発泡剤（ト）」から得られるプレミックスの気相部の組成の測定結果が示され、この組成と同じ組成のガスについての燃焼性試験結果が「不燃性」であることが示されている。
　
　　１−３−２．プレミックスの組成に関する記載
　発明の詳細な説明には、本件発明１のハロゲン化エーテル含有プレミックスの組成について以下の事項が記載されている。
「【００３１】
したがって、例えば25℃において不燃性のプレミックスを得ることを目的とする場合には、プレミックスの気相組成が25℃において、HFC245fa/HFC365mfc の重量比が1.5以上程度、好ましくは1.86以上程度となるようにHFC245faとHC365mfcの仕込み量を設定すればよい。このことは、単にHFC245faとHFC365mfcからなる発泡剤の気相組成が不燃か可燃かどうかを議論すればよいという考えとは大きく異なる。本発明者は、鋭意研究の結果、プレミックスの気相組成を不燃とすることにより、上記目的を達成できることを見出し、本発明を完成するに至った。
【００３２】
本発明の発泡剤においては、発泡剤、ポリオールなどを含むプレミックスとした時に、プレミックスの気相組成におけるFHC245faとHFC365mfcの重量比が、25℃において1.5以上程度であるのが好ましく、1.7以上程度がより好ましく、1.7〜4程度であるのが最も好ましい。さらに、発泡剤、ポリオールなどを含むプレミックスとした時に、プレミックスの気相組成におけるFHC245faとHFC365mfcの重量比が、40℃において、1.85以上程度となるのが好ましく、1.9以上程度となるのがより好ましく、1.9〜4程度であるのが最も好ましい。」
（段落【００３１】〜【００３２】）
「【００３５】
本発明の発泡剤は、更に、ハロゲン化炭化水素、ハロゲン化アルコール及びハロゲン化エーテルからなる群から選択される少なくとも１種の化合物であって沸点が15℃以上であるハロゲン含有化合物を含んでいてもよい。即ち、本発明の発泡剤は、1,1,1,3,3-ペンタフルオロプロパンと1,1,1,3,3-ペンタフルオロブタンとハロゲン化炭化水素、ハロゲン化アルコール及びハロゲン化エーテルからなる群から選択される少なくとも１種の化合物であって沸点が15℃以上であるハロゲン含有化合物とを含んでいてもよい。上記のような沸点15℃以上のハロゲン含有化合物を発泡剤に添加することにより、プレミックスの蒸気圧を低下させることができ、場合によってはプレミックスの燃焼性をさらに抑制することができる。
【００３６】
ハロゲン含有化合物を含む発泡剤を用いる場合には、発泡剤、ポリオールなどを含むプレミックスとした時に、プレミックスの気相組成におけるFHC245faとHFC365mfcの重量比が、25℃において、1〜6程度となるのが好ましい。
・・・
【００３９】
発泡剤中のHFC-245faとHFC365fmcとハロゲン含有化合物との混合割合は、用途、合成樹脂発泡体原料の組成などに応じて任意に選択できる。例えば、HFC245fa、HFC365mfc、ハロゲン含有化合物、ポリオールなどを含むプレミックスの40℃程度における蒸気圧が、ハロゲン含有化合物を除いた以外は前記プレミックスと同じ重量組成比のプレミックスの40℃における蒸気圧に対して、通常95％以下程度であり、好ましくは70〜90％程度であり、より好ましくは70〜85％程度となるようにHFC-245faとHFC365mfcとハロゲン含有化合物との比を設定するのが好ましい。より具体的な例を挙げると、(a)ハロゲン含有化合物：Ａ重量部、(b)HFC-245faとHFC365mfcの合計：Ｂ重量部および(c)ポリオール：Ｃ重量部からなるプレミックスの場合、前記(a)〜(c)を含むプレミックスの蒸気圧が、40℃程度において、(b)HFC-245faとHFC365mfcの合計：Ｂ重量部および(c)ポリオール：Ｃ重量部からなるプレミックスの蒸気圧に対して、95%以下程度、好ましくは90％以下程度、より好ましくは85％以下程度となるようにHFC-245faとHFC365mfcとハロゲン含有化合物との比を設定するのが好ましい。なお、蒸気圧の比の測定には、ポリオール100重量部に対して、HFC-245faとHFC365mfcとハロゲン含有化合物の合計量が、20〜70重量部程度であるプレミックスを用いる。」
（段落【００３５】〜【００３９】）
「【００４８】
(c)ハロゲン化エーテル
本発明において用いるハロゲン化エーテルの沸点は、１気圧(約0.1MPa)において、通常15℃以上程度であり、好ましくは25〜110℃程度、より好ましくは30〜95℃程度である。ハロゲン化エーテルの中ではハイドロフルオロエーテル（HFE）が好ましい。
【００４９】
本発明において用いるハイドロフルオロエーテルは、沸点が15℃以上であれば、特に制限されないが、HFEに含まれる炭素数は、通常3以上程度、好ましくは3 〜7程度、より好ましくは3〜6程度である。
【００５０】
沸点が１５℃以上のハイドロフルオロエーテルとしては、例えば、・・・、1,1,2,2-テトラフルオロエチルメチルエーテル（CF2HCF2OCH3、沸点37℃）、・・・などが好ましい。
・・・
【００５２】
本発明において用いるハロゲン含有化合物は、難燃性であることが好ましい。しかしながら、ハロゲン含有化合物自身が、難燃性である必要は必ずしもなく、発泡剤としたときに難燃性となればよい。特に、プレミックスとした時に、難燃性となるようなハロゲン含有化合物が好ましい。この様なハロゲン含有化合物としては、・・・、1,1,2,2-テトラフルオロエチルメチルエーテル、・・・などを例示することができる。
・・・
【００５４】
本発明において用いるハロゲン含有化合物としては、それ自身単独で発泡剤として使用できる化合物も好ましい。即ち、それ自身が、低い熱伝導率を有し、且つ沸点が15〜90℃程度であるハロゲン含有化合物が好ましい。ハロゲン含有化合物の熱伝導率は、気体とした時に、１気圧(約0.1MPa)程度において、8〜20mW/mK程度が好ましいこのようなハロゲン含有化合物としては、・・・、1,1,2,2-テトラフルオロエチルメチルエーテル、・・・などを例示することができる。ハロゲン含有化合物自身が発泡剤である場合には、ハロゲン含有化合物を含む発泡剤の添加量は、HFC-245faとHFC365mfcのみからなる発泡剤の添加量と同程度とすることができる。即ち、発泡剤中に占めるHFC-245faおよびHFC365mfcの割合を低下させることができる。よって、本発明の発泡剤とポリオールとを含むプレミックスの蒸気圧において、HFC245faおよびHFC365mfcの分圧の合計を低下させる効果がより大きくなる。また、実際に発泡させた場合、ハロゲン含有化合物自身が発泡剤として働き、発泡体中に凝縮物として残存したりする懸念がなくなる。
【００５５】
HFC245faとHFC365mfcとハロゲン含有化合物との混合割合は、ハロゲン含有化合物の種類、用途、処方などに応じて任意に選択できるが、発泡剤の沸点、即ち蒸気圧が1気圧(約0.1MPa)になる温度が、17〜35℃程度になる割合が好ましく、18〜30℃程度になる割合が特に好ましい。
・・・
【００５８】
HFC-245fa、HFC365mfcとハロゲン含有化合物との混合割合は、特に制限されず、ハロゲン含有化合物の種類などに応じて適宜設定することができるが、３者の合計を100モルとした時に、ハロゲン含有化合物は、通常50モル未満程度、好ましくは40モル未満、より好ましくは30モル未満、特に好ましくは25〜3モル程度である。本発明の発泡剤としては、プレミックスとした時の蒸気圧や燃焼性に問題がなければ、ハロゲン含有化合物を加えない混合物であってもよい。
【００５９】
ハロゲン含有化合物を含む場合、HFC-245faとHFC365mfcの比率は、特に制限されないが、HFC-245faとHFC365mfcの合計を100重量％とした時に、HFC-245fa:HFC365mfc＝95〜52重量％：5〜48重量％であり、特に好ましくは、HFC-245fa:HFC365mfc＝90〜50重量％：10〜50重量％である。」
（段落【００４８】〜【００５９】）
　
　　１−３−３．プレミックスの燃焼性についての検討
　上記「１−３−１．具体例の記載」で摘示したとおり、発明の詳細な説明には、ハロゲン化エーテル含有プレミックスとして、実施例４及び１２の「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の発泡剤から得られるプレミックスの具体例しか記載されていない。
　また、上記「１−３−２．プレミックスの組成に関する記載」で摘示したとおり、発明の詳細な説明の段落【００５８】に、ハロゲン化エーテル含有プレミックスの発泡剤の組成に関して、「HFC-245fa、HFC365mfcとハロゲン含有化合物との混合割合は、特に制限されず、ハロゲン含有化合物の種類などに応じて適宜設定することができるが、３者の合計を100モルとした時に、ハロゲン含有化合物は、通常50モル未満程度、好ましくは40モル未満、より好ましくは30モル未満、特に好ましくは25〜3モル程度である。本発明の発泡剤としては、プレミックスとした時の蒸気圧や燃焼性に問題がなければ、ハロゲン含有化合物を加えない混合物であってもよい。」と記載されていることからみて、ハロゲン化エーテル含有プレミックスの発泡剤が、「1,1,1,3,3-ペンタフルオロプロパンと1,1,1,3,3-ペンタフルオロブタンと沸点が15℃以上のハロゲン化エーテルの合計量を１００モルとしたときに、沸点が15℃以上のハロゲン化エーテルの量が５０モル以上である混合物」を包含することは明らかである。
　しかしながら、発明の詳細な説明には、本件発明１の発明特定事項であるハロゲン化エーテル含有プレミックスのうち、「1,1,1,3,3-ペンタフルオロプロパンと1,1,1,3,3-ペンタフルオロブタン、更に、沸点が15℃以上のハロゲン化エーテルを含み、1,1,1,3,3-ペンタフルオロプロパンと1,1,1,3,3-ペンタフルオロブタンと沸点が15℃以上のハロゲン化エーテルの合計量を１００モルとしたときに、沸点が15℃以上のハロゲン化エーテルの量が５０モル以上である混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「ハロゲン化エーテル５０モル以上含有プレミックス」という。）について、何ら記載されておらず、また、その燃焼性に関する具体的な評価試験結果も示されていない。
　
　上記ハロゲン化エーテル５０モル以上含有プレミックスの燃焼性について検討する。
　ハロゲン化エーテル５０モル以上含有プレミックスは、実施例４及び１２のプレミックスに比して、より高い割合の「沸点が15℃以上のハロゲン化エーテル」を含有するものであるから、その気相部においても、より高い割合の「沸点が15℃以上のハロゲン化エーテル」を含有するものと認められる。
　また、発明の詳細な説明の実施例４及び１２、段落【００５０】、【００５２】及び【００５４】の記載からみて、ハロゲン化エーテル５０モル以上含有プレミックスにおける「沸点が15℃以上のハロゲン化エーテル」には、「1,1,2,2-テトラフルオロエチルメチルエーテル」が包含されるものと認められ、かかる「1,1,2,2-テトラフルオロエチルメチルエーテル」は、例えば、被請求人自身が提出した乙第２号証及び乙第３号証に記載されているように、その引火点が−２０℃未満であり、いわゆる可燃性を有する物質であることは、技術常識である。
　してみると、ハロゲン化エーテル５０モル以上含有プレミックスにおいて、「沸点が15℃以上のハロゲン化エーテル」が「1,1,2,2-テトラフルオロエチルメチルエーテル」であるものは、技術常識からみると、その気相部において、実施例４及び１２のプレミックスに比して、より高い割合の可燃性物質の蒸気を含有する蓋然性が高い。
　したがって、ハロゲン化エーテル５０モル以上含有プレミックスにおいて、「沸点が15℃以上のハロゲン化エーテル」が「1,1,2,2-テトラフルオロエチルメチルエーテル」であるものは、実施例４及び１２のプレミックスと同様に、その気相部の燃焼試験結果が「不燃性」であるものとは、直ちには認められないから、当該プレミックスについては、その燃焼性が抑制されていると認められず、また、これを覆すべき理由も見い出せない。
　
　　１−３−４．発明の詳細な説明の記載についての検討のまとめ
　よって、発明の詳細な説明の記載により、ハロゲン化エーテル含有プレミックスを発明特定事項として有する本件発明１の全般にわたり、発明の詳細な説明に記載されたプレミックスの燃焼性の抑制なる課題を解決し得るものとは認められない。
　
　１−４．被請求人の主張についての検討
　　１−４−１．被請求人の主張
　被請求人は、平成２０年１１月２１日付け答弁書及び平成２１年３月２日付け口頭審理陳述要領書において、無効理由５に関して、概略、以下のとおり主張している。
（主張１）
「本件発明では、HFC245faとHFC365mfcを含むプレミックスの燃焼性がプレミックスの気相の燃焼性に大きく依存することを見出し完成されたものである。そのため、プレミックスにおけるHFC245faとHFC365mfcの気相重量比を所定の範囲に設定できれば、プレミックスの燃焼性を低減することができる。」
（答弁書第２５頁下から第６行〜同第２行）
（主張２）
「しかしながら、既に、本件発明３にかかる進歩性の項でも述べたように、本件発明３では、可燃性のHFE-254pcを用いた場合であっても、プレミックスにおけるHFC245fa/HFC365mfcの気相重量比を1.7〜4に設定することにより、プレミックスが不燃化できるのである。具体的には、本件特許明細書の段落0052には、『ハロゲン含有化合物（沸点１５℃以上のハロゲン化エーテルを包含する）自身が、難燃性である必要は必ずしもなく、発泡剤としたときに難燃性となればよい。特に、プレミックスとした時に、難燃性となるようなハロゲン含有化合物が好ましい。・・・1,1,2,2,-テトラフルオロエチルメチルエーテル（HFE-254pc）などを例示することができる。』と記載されている。また、実施例４ではHFE-254pcを含む発泡剤を用いてプレミックスを不燃化できることが具体的に示されている。よって、本件発明３には課題解決手段が十分に反映されている。本件発明８、１１、１６、１９及び２４についても同様である。」
（口頭審理陳述要領書第２７頁第１５行〜第２８頁第１行）
　
　　１−４−２．（主張１）についての検討
　上記「１−３−３．プレミックスの燃焼性についての検討」で述べたとおり、本件発明１の発明特定事項であるハロゲン化エーテル含有プレミックスのうち、ハロゲン化エーテル５０モル以上含有プレミックスにおいて、「沸点が15℃以上のハロゲン化エーテル」が「1,1,2,2-テトラフルオロエチルメチルエーテル」であるものは、実施例４及び１２のプレミックスと同様に、その気相部の燃焼試験結果が「不燃性」であるものとは、直ちには認められないから、当該プレミックスについては、その燃焼性が抑制されているとは認められない。
　してみると、プレミックスの燃焼性の抑制なる課題は、発泡剤とポリオールとを含むプレミックスの気相組成における1,1,1,3,3-ペンタフルオロプロパン/1,1,1,3,3-ペンタフルオロブタンの重量比のみによって解決されるものとは認められない。
　
　　１−４−３．（主張２）についての検討
　上記「１−４−２．（主張１）についての検討」で述べたとおり、プレミックスの燃焼性の抑制なる課題は、発泡剤とポリオールとを含むプレミックスの気相組成における1,1,1,3,3-ペンタフルオロプロパン/1,1,1,3,3-ペンタフルオロブタンの重量比のみによって解決されるものとは認められない。
　また、実施例４及び１２で燃焼性に関する具体的な評価試験結果が示されたプレミックスは、本件発明１の発明特定事項であるハロゲン化エーテル含有プレミックスの具体的態様のごく一部にすぎず、かかる限られた実施例の記載をもって、本件発明１の発明特定事項であるハロゲン化エーテル含有プレミックスの全般にわたり、燃焼性が抑制されているとすることはできない。
　
　　１−４−４．被請求人の主張の検討についてのまとめ
　したがって、上記（主張１）及び（主張２）は、いずれも採用することができないものである。
　
　１−５．本件発明１についてのまとめ
　よって、本件発明１は、発明の詳細な説明に記載したものでない。
　
２．本件発明２について
　本件発明２は、請求項１を引用して記載した請求項２に係るものであり、「発泡剤の存在下に、ポリオールとポリイソシアネート化合物とを反応させてポリウレタンまたはポリイソシアヌレートの発泡体を製造する方法」に関するものであって、本件発明１と同様に、少なくとも、ハロゲン化エーテル含有プレミックスを用いることを、発明特定事項として有するものである。
　したがって、「１．本件発明１について」で述べた理由と同様の理由により、本件発明２は、発明の詳細な説明に記載したものでない。
　
３．本件発明３について
　本件発明３は、請求項１を引用して記載した請求項３に係るものであり、「発泡剤の存在下に、ポリオールとポリイソシアネート化合物とを反応させてポリウレタンまたはポリイソシアヌレートの発泡体を製造する方法」に関するものであって、本件発明１と同様に、少なくとも、ハロゲン化エーテル含有プレミックスを用いることを発明特定事項として有し、更に「沸点が15℃以上のハロゲン化エーテルが、1,1,2,2-テトラフルオロエチルメチルエーテルである」ことを発明特定事項として有するものである。
　したがって、「１．本件発明１について」で述べた理由と同様の理由により、本件発明３は、発明の詳細な説明に記載したものでない。
　
４．本件発明４について
　４−１．本件発明４の発明特定事項
　本件発明４は、「発泡剤の存在下に、ポリオールとポリイソシアネート化合物とを反応させてポリウレタンまたはポリイソシアヌレートの発泡体を製造する方法」に関するものであって、「発泡剤として、1,1,1,3,3-ペンタフルオロプロパンと1,1,1,3,3-ペンタフルオロブタン、更に以下の式(A)〜(C)で示される化合物からなる群から選択される少なくとも１種のグリコール化合物（以下、単に「グリコール化合物」という。）；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「グリコール化合物含有プレミックス」という。）を用いることを、発明特定事項として有するものである。
　
　４−２．本件発明４の解決しようとする課題
　上記「１−２．本件発明１の解決しようとする課題」で述べたとおり、本件発明４は、少なくとも、プレミックスの燃焼性の抑制を、その解決しようとする課題として有するものと認められる。
　
　４−３．発明の詳細な説明の記載についての検討
　本件発明４の全般にわたり、プレミックスの燃焼性の抑制なる課題を解決し得るか否かについて、以下に検討する。
　
　　４−３−１．具体例の記載
　発明の詳細な説明には、本件発明４の発明特定事項であるグリコール化合物含有プレミックスの燃焼性に関する具体的な評価試験結果として、実施例３に「HFC245fa 5gとHFC365mfc 5gとジエチレングリコールモノエチルアセテート0.7ｇ」なる組成の発泡剤から得られるプレミックスの気相部の組成の測定結果、及びこの組成と同じ組成のガスについての燃焼性試験結果が「不燃性」であること、実施例１０に「1,1,1,3,3-ペンタフルオロプロパン／1,1,1,3,3-ペンタフルオロブタン（6０重量部／4０重量部）およびジエチレングリコールモノエチルエーテルアセテート（7重量部）」なる組成の「発泡剤（ホ）」から得られるプレミックスの気相部の組成と同じ組成のガスについての燃焼性試験結果が「不燃性」であること、実施例４及び１２に「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の「発泡剤（ト）」から得られるプレミックスの気相部の組成の測定結果、及びこの組成と同じ組成のガスについての燃焼性試験結果が「不燃性」であることが示されている。
　
　　４−３−２．プレミックスの組成に関する記載
　発明の詳細な説明には、本件発明４のグリコール化合物含有プレミックスの組成に関して、上記「１−３−２．プレミックスの組成に関する記載」で挙げた事項に加え、以下の事項が記載されている。
「【００５９】
・・・
＊相溶化剤
本発明の発泡剤は、更にグリコール系化合物及び/又はフッ素含有界面活性剤を含んでいてもよい。即ち、本発明の発泡剤は、1,1,1,3,3-ペンタフルオロプロパンと1,1,1,3,3-ペンタフルオロブタンとグリコール系化合物及び/又はフッ素含有界面活性剤とを含む混合物であってもよい。または、1,1,1,3,3-ペンタフルオロプロパンと1,1,1,3,3-ペンタフルオロブタンと沸点が15℃以上のハロゲン含有化合物とグリコール系化合物及び/又はフッ素含有界面活性剤とを含む混合物であってもよい。
【００６０】
HFC245faおよびHFC365mfcは、HCFC141bと比較するとポリオールへの溶解性が低い。グリコール系化合物とフッ素含有界面活性剤は、相溶化剤として作用するので、グリコール系化合物及び/又はフッ素含有界面活性剤を用いることにより、発泡剤のポリオールへの相溶性が改善される。相溶性が改善されるとプレミックスから発泡剤が揮発することによるロスを低下できるとともに、プレミックスの蒸気圧を低減できる。特にプレミックス中のHFC245faの割合が高い場合はプレミックスの蒸気圧が高くなりやすいので、グリコール系化合物及び/又はフッ素含有界面活性剤を使用してプレミックスの蒸気圧を低減するのが好ましい。即ち、燃焼性をさらに抑制するためにはHFC245faの割合を増加すればよいが、その場合は発泡剤、プレミックスともに蒸気圧が増加する方向となる。その場合、グリコール系化合物及び/又はフッ素含有界面活性剤を添加することにより、燃焼性をほとんど変えずに蒸気圧だけを低下させることができる。
＊グリコール系化合物
本発明において用いるグリコール系化合物としては、例えば、エチレングリコール化合物、プロピレングリコール化合物などを例示することができる。
【００６１】
エチレングリコール化合物としては、以下の式(Ａ)〜式(Ｃ)で示される化合物などを例示することができる。
式(Ａ) CaH2a+1O(CH2CH2O)bCcH2c+1[式中、a, bおよびcは、独立にa=1, 2, 3, 4、b=1, 2, 3, 4、c=0, 1, 2, 3, 4]、
・・・
【００６５】
エチレングルコール系化合物としては、式（Ａ）においてａおよびｃが１以上であるジエーテル化合物、式（Ｂ）においてｄおよびｆが１以上であるジエステル化合物、式（Ｃ）においてｋおよびｉが１以上であるエーテルエステル化合物などが好ましく、・・・などがより好ましく、エチレングリコールモノメチルエーテル、・・・も好適に用いることができる。
・・・
【００６８】
グリコール化合物としては、難燃性のものが好ましい。しかしながら、グリコール化合物が全く不燃である必要はなく、HFC-245faとHFC365fmcとの混合物としたときに、難燃性を保てる程度であればよい。グリコール化合物としては、危険物第4類、3石以上程度の難燃性を有していることが好ましいが、プレミックスとした時に、危険物第4類、3石以上程度の難燃性を有している限り、グリコール化合物の難燃性は、特に制限されない。なお、危険物第4類、3石以上程度の難燃性とは、1気圧、20℃で液体の化合物の発火点が100℃以上程度で、引火点が70℃以上程度であることを意味する。難燃性のグリコール化合物を用いると、発泡剤を難燃性に保ち、現場での発泡時に要求される難燃性を維持できる。例えば、ジエチレングリコールモノエチルエーテルアセテートの引火点は110℃であり、エチレングリコールジアセテートの引火点は96℃であり、ともに20℃において液体である。従って、これらのグリコール化合物は、危険物第4類、3石以上の難燃性を有している。」
（段落【００５９】〜【００６８】）
「【００７９】
発泡剤中のHFC-245faとHFC365fmcとグリコール化合物及び/又はフッ素含有界面活性剤との混合割合は、用途、合成樹脂発泡体原料の組成などに応じて任意に選択できる。例えば、HFC245fa、HFC365mfc、グリコール化合物及び/又はフッ素含有界面活性剤、ポリオールなどを含むプレミックスの40℃程度における蒸気圧が、グリコール化合物及び/又はフッ素含有界面活性剤を除いた以外は前記プレミックスと同じ重量組成比のプレミックスの40℃における蒸気圧に対して、通常95％以下程度であり、好ましくは70〜90％程度であり、より好ましくは70〜85％程度となるようにHFC-245faとHFC365mfcとグリコール化合物及び/又はフッ素含有界面活性剤との比を設定するのが好ましい。より具体的な例を挙げると、(a) グリコール化合物及び/又はフッ素含有界面活性剤：Ａ重量部、(b)HFC-245faとHFC365mfcの合計：Ｂ重量部および(c)ポリオール：Ｃ重量部からなるプレミックスの場合、前記(a)〜(c)を含むプレミックスの蒸気圧が、40℃程度において、(b)HFC-245faとHFC365mfcの合計：Ｂ重量部および(c)ポリオール：Ｃ重量部からなるプレミックスの蒸気圧に対して、95%以下程度、好ましくは90％以下程度、より好ましくは85％以下程度となるようにHFC-245faとHFC365mfcとグリコール化合物及び/又はフッ素含有界面活性剤との比を設定するのが好ましい。なお、蒸気圧の比の測定には、ポリオール100重量部に対して、HFC-245faとHFC365mfcとグリコール化合物及び/又はフッ素含有界面活性剤の合計量が、20〜70重量部程度であるプレミックスを用いる。
【００８０】
または、HFC-245fa、HFC365mfc、グリコール化合物及び/又はフッ素含有界面活性剤、ポリオールなどを含むプレミックスの沸点、即ちプレミックスの蒸気圧が1気圧(約0.1MPa)になる温度が、通常15℃以上程度、好ましくは17〜35℃程度、より好ましくは18〜30℃程度になるように、HFC-245fa、HFC365mfc、フッ素含有界面活性剤などの混合比を設定すればよい。
【００８１】
グリコール化合物及び/又はフッ素含有界面活性剤を含む本発明の発泡剤において、HFC-245faとHFC365mfcの配合量の合計は、HFC-245faとHFC365mfcとフッ素含有界面活性剤との総量に対して、通常50重量%以上程度、好ましくは65〜99重量%程度、より好ましくは75〜98重量%程度である。なお、HFC365mfcとHFC245faを発泡剤とするプレミックスの蒸気圧や燃焼性に問題がなければフッ素含有界面活性剤は、加えなくてもよい。
【００８２】
HFC245faとHFC365mfcとグリコール化合物及び/又はフッ素含有界面活性剤とを含む発泡剤におけるHFC245faとHFC365mfcとグリコール化合物及び/又はフッ素含有界面活性剤の混合割合は、発泡剤の沸点が、17〜35℃程度になる割合が好ましく、18〜30℃になる割合がより好ましい。
【００８３】
HFC245faとHFC365mfcとグリコール化合物及び/又はフッ素含有界面活性剤とを含む発泡剤におけるHFC-245faとHFC365mfcとの混合比率は、HFC-245faとHFC365mfcの合計を100重量％とした時に、HFC-245fa:HFC365mfc＝90〜54重量％：10〜46重量％であり、特に好ましくは、HFC-245fa:HFC365mfc＝80〜60重量％：20〜40重量％である。
【００８４】
更に、ハロゲン含有化合物を含む場合、即ち、ハロゲン含有化合物とHFC245faとHFC365mfcとグリコール化合物及び/又はフッ素含有界面活性剤とを含む発泡剤におけるHFC-245faとHFC365mfcとの混合比率は、HFC-245faとHFC365mfcの合計を100重量％とした時に、HFC-245fa:HFC365mfc＝95〜52重量％：5〜48重量％であり、特に好ましくは、HFC-245fa:HFC365mfc＝90〜50重量％：10〜50重量％である。
【００８５】
以上のように、本発明の発泡剤としては、HFC245faとHFC365mfcの混合物をベースとしてプレミックスとした場合に、プレミックスの気相成分が不燃性となるように各成分の混合比を調製したものが好ましい。また、プレミックスの蒸気圧を下げたり燃焼性を改善するために、ハロゲン化炭化水素、ハロゲン化アルコール、ハイドロフルオロエーテルなどのハロゲン含有化合物を加えることができる。さらに、ハロゲン含有化合物の有無に関係なく、相溶化剤であるグリコール化合物、フッ素含有界面活性剤またはその両者を発泡剤に加えることができる。」
（段落【００７９】〜【００８５】）
　
　　４−３−３．プレミックスの燃焼性についての検討
　上記「４−３−１．具体例の記載」で摘示したとおり、発明の詳細な説明には、グリコール化合物含有プレミックスとして、実施例３の「HFC245fa 5gとHFC365mfc 5gとジエチレングリコールモノエチルアセテート0.7ｇ」なる組成の発泡剤から得られるプレミックス、実施例１０の「1,1,1,3,3-ペンタフルオロプロパン／1,1,1,3,3-ペンタフルオロブタン（6０重量部／4０重量部）およびジエチレングリコールモノエチルエーテルアセテート（7重量部）」なる組成の発泡剤から得られるプレミックス、実施例４及び１２の「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の発泡剤から得られるプレミックスの具体例しか記載されていない。
　また、上記「４−３−２．プレミックスの組成に関する記載」で摘示したとおり、発明の詳細な説明の段落【００８１】に、グリコール化合物含有プレミックスの発泡剤の組成に関して、「グリコール化合物及び/又はフッ素含有界面活性剤を含む本発明の発泡剤において、HFC-245faとHFC365mfcの配合量の合計は、HFC-245faとHFC365mfcとフッ素含有界面活性剤との総量（審決注：「HFC-245faとHFC365mfcとグリコール化合物及び/又はフッ素含有界面活性剤との総量」の誤記と認められる。）に対して、通常50重量%以上程度、好ましくは65〜99重量%程度、より好ましくは75〜98重量%程度である。なお、HFC365mfcとHFC245faを発泡剤とするプレミックスの蒸気圧や燃焼性に問題がなければフッ素含有界面活性剤は、加えなくてもよい。」と記載されていることからみて、グリコール化合物含有プレミックスの発泡剤が、「1,1,1,3,3-ペンタフルオロプロパンと1,1,1,3,3-ペンタフルオロブタンとグリコール化合物との総量に対して、グリコール化合物の量が50重量％以上である混合物」を包含することは明らかである。
　しかしながら、発明の詳細な説明には、本件発明４の発明特定事項であるグリコール化合物含有プレミックスのうち、「1,1,1,3,3-ペンタフルオロプロパンと1,1,1,3,3-ペンタフルオロブタン、更に、沸点が15℃以上のハロゲン化エーテルを含み、1,1,1,3,3-ペンタフルオロプロパンと1,1,1,3,3-ペンタフルオロブタンとグリコール化合物との総量に対して、グリコール化合物の量が50重量％以上である混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「グリコール化合物５０重量％以上含有プレミックス」という。）について、何ら記載されておらず、また、その燃焼性に関する具体的な評価試験結果も示されていない。
　
　上記グリコール化合物５０重量％以上含有プレミックスの燃焼性について検討する。
　グリコール化合物５０重量％以上含有プレミックスは、実施例３、４、１０及び１２のプレミックスに比して、より高い割合の「グリコール化合物」を含有するものであるから、その気相部においても、より高い割合の「グリコール化合物」を含有するものと認められる。
　また、発明の詳細な説明の段落【００６５】の記載からみて、グリコール化合物５０重量％以上含有プレミックスにおける「グリコール化合物」には、「エチレングリコールモノメチルエーテル」が包含されるものと認められ、かかる「エチレングリコールモノメチルエーテル」は、例えば、化学大辞典編集委員会編「化学大辞典２　縮刷版」，共立出版株式会社，１９９３年６月１日縮刷版第３４刷発行，第３７〜３８頁「β−オキシエチルメチルエーテル」の項に記載されているように、エチレングリコールメチルエーテルは、その引火点が３２℃であり、いわゆる可燃性を有する物質であることは、技術常識である。
　してみると、グリコール化合物５０重量％以上含有プレミックスにおいて、「グリコール化合物」が「エチレングリコールモノメチルエーテル」であるものは、技術常識からみると、その気相部において、実施例３、４、１０及び１２のプレミックスに比して、より高い割合の可燃性物質の蒸気を含有する蓋然性が高い。
　したがって、グリコール化合物５０重量％以上含有プレミックスにおいて、「グリコール化合物」が「エチレングリコールモノメチルエーテル」であるものは、実施例３、４、１０及び１２のプレミックスと同様に、その気相部の燃焼試験結果が「不燃性」であるものとは、直ちには認められないから、当該プレミックスについては、その燃焼性が抑制されていると認められず、また、これを覆すべき理由も見い出せない。
　
　　４−３−４．発明の詳細な説明の記載についての検討のまとめ
　よって、発明の詳細な説明の記載により、グリコール化合物含有プレミックスを発明特定事項として有する本件発明４の全般にわたり、発明の詳細な説明に記載されたプレミックスの燃焼性の抑制なる課題を解決し得るものとは認められない。
　
　４−４．本件発明４についてのまとめ
　本件発明４は、発明の詳細な説明に記載したものでない。
　
５．本件発明５について
　本件発明５は、請求項４を引用して記載した請求項５に係るものであり、「発泡剤の存在下に、ポリオールとポリイソシアネート化合物とを反応させてポリウレタンまたはポリイソシアヌレートの発泡体を製造する方法」に関するものであって、本件発明４と同様に、少なくとも、グリコール化合物含有プレミックスを用いることを、発明特定事項として有するものである。
　したがって、「４．本件発明４について」で述べた理由と同様の理由により、本件発明５は、発明の詳細な説明に記載したものでない。
　
６．本件発明６について
　６−１．本件発明６の発明特定事項
　本件発明６は、「発泡剤の存在下に、ポリオールとポリイソシアネート化合物とを反応させてポリウレタンまたはポリイソシアヌレートの発泡体を製造する方法」に関するものであって、少なくとも、「発泡剤として、1,1,1,3,3-ペンタフルオロプロパンと1,1,1,3,3-ペンタフルオロブタン、更に、(i)沸点が15℃以上のハロゲン化エーテルと(ii)以下の式(A)〜(C)で示される化合物からなる群から選択される少なくとも１種のグリコール化合物；
式(Ａ) CaH2a+1O(CH2CH2O)bCcH2c+1　
[式中、a, bおよびcは、独立にa=1, 2, 3, 4、b=1, 2, 3, 4、c=0, 1, 2, 3, 4]、
式(Ｂ) CdH2d+1COO(CH2CH2O)eCO CfH2f+1　
[式中、d, eおよびfは、独立にd=0, 1, 2, 3, 4、e=1, 2, 3, 4、f=0, 1, 2, 3, 4]、および
式(Ｃ) CiH2i+1COO(CH2CH2O)jCkH2k+1　
[式中、i, jおよびkは、独立にi=0, 1, 2, 3, 4、j=1, 2, 3, 4、k=0, 1, 2, 3, 4]
を含む混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「ハロゲン化エーテル及びグリコール化合物含有プレミックス」という。）を用いることを、発明特定事項として有するものである。
　
　６−２．本件発明６の解決しようとする課題
　上記「１−２．本件発明１の解決しようとする課題」で述べたとおり、本件発明６は、プレミックスの燃焼性の抑制を、その解決しようとする課題として有するものと認められる。
　
　６−３．発明の詳細な説明の記載についての検討
　本件発明６の全範囲にわたり、プレミックスの燃焼性の抑制なる課題を解決し得るか否かについて、以下に検討する。
　
　　６−３−１．具体例の記載
　発明の詳細な説明には、本件発明６の発明特定事項であるハロゲン化エーテル及びグリコール化合物含有プレミックスの燃焼性に関する具体的な評価試験結果として、実施例４及び１２に「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の「発泡剤（ト）」から得られるプレミックスの気相部の組成の測定結果が示され、この組成と同じ組成のガスについての燃焼性試験結果が「不燃性」であることが示されている。
　
　　６−３−２．プレミックスの組成に関する記載
　発明の詳細な説明には、本件発明６のハロゲン化エーテル及びグリコール化合物含有プレミックスの組成に関して、上記「１−３−２．プレミックスの組成に関する記載」及び「４−３−２．プレミックスの組成に関する記載」で挙げた事項が記載されている。
　
　　６−３−３．プレミックスの燃焼性についての検討
　上記「６−３−１．具体例の記載」で摘示したとおり、発明の詳細な説明には、ハロゲン化エーテル及びグリコール化合物含有プレミックスとして、実施例４及び１２の「1,1,1,3,3-ペンタフルオロプロパン／1,1,1,3,3-ペンタフルオロブタン／1,1,2,2-テトラフルオロエチルメチルエーテル（6０重量部／15重量部／25重量部）およびジエチレングリコールモノエチルエーテル（7重量部）」なる組成の発泡剤から得られるプレミックスの具体例しか記載されていない。
　また、上記「１−３−２．プレミックスの組成に関する記載」及び「４−３−２．プレミックスの組成に関する記載」で摘示したとおり、ハロゲン化エーテル及びグリコール化合物含有プレミックスの発泡剤の組成に関して、発明の詳細な説明の段落【００５８】に、「HFC-245fa、HFC365mfcとハロゲン含有化合物との混合割合は、特に制限されず、ハロゲン含有化合物の種類などに応じて適宜設定することができるが、３者の合計を100モルとした時に、ハロゲン含有化合物は、通常50モル未満程度、好ましくは40モル未満、より好ましくは30モル未満、特に好ましくは25〜3モル程度である。本発明の発泡剤としては、プレミックスとした時の蒸気圧や燃焼性に問題がなければ、ハロゲン含有化合物を加えない混合物であってもよい。」と記載され、同段落【００８１】に、グリコール化合物含有プレミックスの発泡剤の組成に関して、「グリコール化合物及び/又はフッ素含有界面活性剤を含む本発明の発泡剤において、HFC-245faとHFC365mfcの配合量の合計は、HFC-245faとHFC365mfcとフッ素含有界面活性剤との総量（審決注：「HFC-245faとHFC365mfcとグリコール化合物及び/又はフッ素含有界面活性剤との総量」の誤記と認められる。）に対して、通常50重量%以上程度、好ましくは65〜99重量%程度、より好ましくは75〜98重量%程度である。なお、HFC365mfcとHFC245faを発泡剤とするプレミックスの蒸気圧や燃焼性に問題がなければフッ素含有界面活性剤は、加えなくてもよい。」と記載されていることからみて、ハロゲン化エーテル及びグリコール化合物含有プレミックスの発泡剤が、「1,1,1,3,3-ペンタフルオロプロパンと1,1,1,3,3-ペンタフルオロブタンと沸点が15℃以上のハロゲン化エーテルの合計量を１００モルとしたときに、沸点が15℃以上のハロゲン化エーテルの量が５０モル以上であるか、1,1,1,3,3-ペンタフルオロプロパンと1,1,1,3,3-ペンタフルオロブタンとグリコール化合物との総量に対して、グリコール化合物の量が50重量％以上である混合物」を包含することは明らかである。
　しかしながら、発明の詳細な説明には、本件発明６の発明特定事項であるハロゲン化エーテル及びグリコール化合物含有プレミックスのうち、「1,1,1,3,3-ペンタフルオロプロパンと1,1,1,3,3-ペンタフルオロブタン、更に、(i)沸点が15℃以上のハロゲン化エーテルと(ii)グリコール化合物を含み、1,1,1,3,3-ペンタフルオロプロパンと1,1,1,3,3-ペンタフルオロブタンと沸点が15℃以上のハロゲン化エーテルの合計量を１００モルとしたときに、沸点が15℃以上のハロゲン化エーテルの量が５０モル以上であるか、1,1,1,3,3-ペンタフルオロプロパンと1,1,1,3,3-ペンタフルオロブタンとグリコール化合物との総量に対して、グリコール化合物の量が50重量％以上である混合物を使用し、前記発泡剤とポリオールとを含むプレミックスの気相組成における1,1,1,3,3-ペンタフルオロプロパン/1,1,1,3,3-ペンタフルオロブタンの重量比が、25℃において1.7〜4である」プレミックス（以下、「ハロゲン化エーテル５０モル以上又はグリコール化合物５０重量％以上含有プレミックス」という。）について、何ら記載されておらず、また、その燃焼性に関する具体的な評価試験結果も示されていない。
　
　上記ハロゲン化エーテル５０モル以上又はグリコール化合物５０重量％以上含有プレミックスの燃焼性について検討する。
　ハロゲン化エーテル５０モル以上又はグリコール化合物５０重量％以上含有プレミックスは、実施例４及び１２のプレミックスに比して、より高い割合の「沸点が15℃以上のハロゲン化エーテル」又は「グリコール化合物」を含有するものであるから、その気相部においても、より高い割合の「沸点が15℃以上のハロゲン化エーテル」又は「グリコール化合物」を含有するものと認められる。
　また、上記「１−３−３．プレミックスの燃焼性についての検討」及び「４−３−３．プレミックスの燃焼性についての検討」で述べたとおり、ハロゲン化エーテル５０モル以上又はグリコール化合物５０重量％以上含有プレミックスにおける「沸点が15℃以上のハロゲン化エーテル」及び「グリコール化合物」には、それぞれ、「1,1,2,2-テトラフルオロエチルメチルエーテル」及び「エチレングリコールモノメチルエーテル」が包含されるものと認められ、かかる「1,1,2,2-テトラフルオロエチルメチルエーテル」及び「エチレングリコールモノメチルエーテル」は、いわゆる可燃性を有する物質であることは、技術常識である。
　してみると、ハロゲン化エーテル５０モル以上又はグリコール化合物５０重量％以上含有プレミックスにおいて、「沸点が15℃以上のハロゲン化エーテル」が「1,1,2,2-テトラフルオロエチルメチルエーテル」であり、「グリコール化合物」が「エチレングリコールモノメチルエーテル」であるものは、技術常識からみると、その気相部において、実施例４及び１２のプレミックスに比して、より高い割合の可燃性物質の蒸気を含有する蓋然性が高い。
　したがって、ハロゲン化エーテル５０モル以上又はグリコール化合物５０重量％以上含有プレミックスにおいて、「沸点が15℃以上のハロゲン化エーテル」が「1,1,2,2-テトラフルオロエチルメチルエーテル」であり、「グリコール化合物」が「エチレングリコールモノメチルエーテル」であるものは、実施例４及び１２のプレミックスと同様に、その気相部の燃焼試験結果が「不燃性」であるものとは、直ちには認められないから、当該プレミックスについては、その燃焼性が抑制されていると認められず、また、これを覆すべき理由も見い出せない。
　
　　６−３−４．発明の詳細な説明の記載についての検討のまとめ
　よって、発明の詳細な説明の記載により、ハロゲン化エーテル及びグリコール化合物含有プレミックスを発明特定事項として有する本件発明６の全般にわたり、発明の詳細な説明に記載されたプレミックスの燃焼性の抑制なる課題を解決し得るものとは認められない。
　
　６−４．本件発明６についてのまとめ
　本件発明６は、発明の詳細な説明に記載したものでない。
　
７．本件発明７について
　本件発明７は、請求項６を引用して記載した請求項７に係るものであり、「発泡剤の存在下に、ポリオールとポリイソシアネート化合物とを反応させてポリウレタンまたはポリイソシアヌレートの発泡体を製造する方法」に関するものであって、本件発明６と同様に、少なくとも、ハロゲン化エーテル及びグリコール化合物含有プレミックスを用いることを、発明特定事項として有するものである。
　したがって、「６．本件発明６について」で述べた理由と同様の理由により、本件発明７は、発明の詳細な説明に記載したものでない。
　
８．本件発明８について
　本件発明８は、請求項６を引用して記載した請求項８に係るものであり、「発泡剤の存在下に、ポリオールとポリイソシアネート化合物とを反応させてポリウレタンまたはポリイソシアヌレートの発泡体を製造する方法」に関するものであって、本件発明６と同様に、少なくとも、ハロゲン化エーテル及びグリコール化合物含有プレミックスを用いることを発明特定事項として有し、更に「沸点が15℃以上のハロゲン化エーテルが、1,1,2,2-テトラフルオロエチルメチルエーテルである」ことを発明特定事項として有するものである。
　したがって、「６．本件発明６について」で述べた理由と同様の理由により、本件発明８は、発明の詳細な説明に記載したものでない。
　
９．本件発明９〜１６について
　本件発明９〜１６は、「ポリウレタンまたはポリイソシアヌレート用発泡剤」に関するものであって、前記発泡剤が、それぞれ、本件発明１〜８のプレミックスの調製に用いられる発泡剤と同じ組成を有することを発明特定事項とするものである。
　してみると、上記「１．本件発明１について」〜「８．本件発明８について」で述べた理由と同様の理由により、本件発明９〜１６の全般にわたり、発明の詳細な説明に記載されたプレミックスの燃焼性の抑制なる課題を解決し得るものとは認められない。
　したがって、本件発明９〜１６は、発明の詳細な説明に記載したものでない。
　
１０．本件発明１７〜２４について
　本件発明１７〜２４は、「発泡剤とポリオールとを含むプレミックス」に関するものであって、前記プレミックスが、それぞれ、本願発明１〜８で用いられるプレミックスと同じ組成を有することを、発明特定事項とするものである。
　してみると、上記「１．本件発明１について」〜「８．本件発明８について」で述べた理由と同様の理由により、本件発明１７〜２４の全般にわたり、発明の詳細な説明に記載されたプレミックスの燃焼性の抑制なる課題を解決し得るものとは認められない。
　したがって、本件発明１７〜２４は、発明の詳細な説明に記載したものでない。
　
１１．無効理由５についての検討のまとめ
　よって、本件発明１〜２４は、発明の詳細な説明に記載したものでないから、本件特許に係る出願は、特許法第３６条第６項第１号に規定する要件を満たしていない。
　
　
第７．むすび
　以上のとおりであるから、特許第３８９４３２６号の請求項１〜２４に係る発明についての特許は、特許法第３６条第６項第１号に規定する要件を満たしていない特許出願に対してされたものであり、同法第１２３条第１項第４号に該当するので、請求人の主張する無効理由１〜４について更に検討するまでもなく、無効にすべきものである。
　審判に関する費用については、特許法第１６９条第２項において準用する民事訴訟法第６１条の規定により、被請求人が負担すべきものとする。
　よって、結論のとおり審決する。